(57)【要約】  本開示は、ＣＳＩ報告の伝送方法及び機器を開示する。当該方法は、コンポーネントキャリアのＰＵＣＣＨリソースで送信される必要がある１つ又は複数の衝突グループに基づいて、目標ＰＵＣＣＨリソースを決定し、目標ＰＵＣＣＨリソースが、１つ又は複数の衝突グループにおけるＣＳＩ報告を配置するために用いられ、衝突グループは少なくとも２つのＣＳＩ報告を含むステップと、目標ＰＵＣＣＨリソースに配置されようとするＣＳＩ報告セットの負荷は、目標ＰＵＣＣＨリソースが目標符号化率を満たすうえで伝送可能な容量より大きい場合、ＣＳＩ報告の優先度に基づいて、ＣＳＩ報告セットのうちの一部のＣＳＩ報告を目標ＰＵＣＣＨリソースに配置するステップと、ＣＳＩ報告セットの負荷は、目標ＰＵＣＣＨリソースが目標符号化率を満たすうえで送信可能な容量以下である場合、ＣＳＩ報告セットのＣＳＩ報告を目標ＰＵＣＣＨリソースに配置するステップと、配置されたＣＳＩ報告を目標ＰＵＣＣＨリソースにおいて送信するステップと、を含む。【選択図】  図１
2021517783.tif 000002
【特許請求の範囲】
【請求項１】
端末機器に適用するチャネル状態情報ＣＳＩ報告の伝送方法であって、
コンポーネントキャリアの物理上り制御チャネルＰＵＣＣＨリソースで送信される必要がある１つ又は複数の衝突グループに基づいて、目標ＰＵＣＣＨリソースを決定するステップであって、前記目標ＰＵＣＣＨリソースが、前記１つ又は複数の衝突グループにおけるＣＳＩ報告を配置するために用いられ、前記衝突グループは少なくとも２つのＣＳＩ報告を含み、前記衝突グループの任意の１つのＣＳＩ報告が、前記衝突グループにおける少なくとも１つのＣＳＩ報告と衝突し、且つ、前記衝突グループ以外の任意の１つのＣＳＩ報告と衝突しないステップと、
前記目標ＰＵＣＣＨリソースに配置されようとするＣＳＩ報告セットの負荷は、前記目標ＰＵＣＣＨリソースが目標符号化率を満たすうえで伝送可能な容量より大きい場合、ＣＳＩ報告の優先度に基づいて、前記ＣＳＩ報告セットのうちの一部のＣＳＩ報告を前記目標ＰＵＣＣＨリソースに配置するステップと、
前記ＣＳＩ報告セットの負荷は、前記目標ＰＵＣＣＨリソースが目標符号化率を満たすうえで伝送可能な容量以下である場合、前記ＣＳＩ報告セットのうちの全部のＣＳＩ報告を前記目標ＰＵＣＣＨリソースに配置するステップと、
配置されたＣＳＩ報告を前記目標ＰＵＣＣＨリソースにおいて送信するステップと、を含み、
前記ＣＳＩ報告セットは、前記１つ又は複数の衝突グループのＣＳＩ報告を少なくとも含む、伝送方法。
【請求項２】
配置されたＣＳＩ報告を前記目標ＰＵＣＣＨリソースにおいて送信するとき、前記伝送方法は、
前記コンポーネントキャリアの第１ＣＳＩ報告用のＰＵＣＣＨリソースで第１ＣＳＩ報告を送信するステップであって、前記第１ＣＳＩ報告が、前記１つ又は複数の衝突グループと衝突せず、且つ、前記第１ＣＳＩ報告が、前記目標ＰＵＣＣＨリソースと衝突しないステップをさらに含む、請求項１に記載の伝送方法。
【請求項３】
前記ＣＳＩ報告セットは、第２ＣＳＩ報告をさらに含み、前記第２ＣＳＩ報告は前記コンポーネントキャリアの１つのＰＵＣＣＨリソースに配置され、前記第２ＣＳＩ報告が、前記１つ又は複数の衝突グループと衝突せず、且つ、第２ＣＳＩ報告が前記目標ＰＵＣＣＨリソースと衝突しない、請求項１に記載の伝送方法。
【請求項４】
前記ＣＳＩ報告セットは、第２ＣＳＩ報告をさらに含み、前記第２ＣＳＩ報告は前記コンポーネントキャリアの１つのＰＵＣＣＨリソースに配置され、前記第２ＣＳＩ報告が、前記１つ又は複数の衝突グループと衝突せず、且つ、第２ＣＳＩ報告が前記目標ＰＵＣＣＨリソースと衝突する、請求項１に記載の伝送方法。
【請求項５】
配置されたＣＳＩ報告を前記目標ＰＵＣＣＨリソースにおいて送信する前に、前記伝送方法は、
第３ＣＳＩ報告を廃棄するステップであって、前記第３ＣＳＩ報告は前記コンポーネントキャリアの１つのＰＵＣＣＨリソースに配置され、前記第３ＣＳＩ報告が、前記１つ又は複数の衝突グループと衝突せず、且つ、前記第３ＣＳＩ報告が前記目標ＰＵＣＣＨリソースと衝突するステップをさらに含む、請求項１に記載の伝送方法。
【請求項６】
第３ＣＳＩ報告を廃棄するステップは、前記ＣＳＩ報告セットのうちの少なくとも１つのＣＳＩ報告の優先度が前記第３ＣＳＩ報告以上である場合、第３ＣＳＩ報告を破棄するステップを含む、請求項５に記載の伝送方法。
【請求項７】
コンポーネントキャリアのＰＵＣＣＨリソースで送信される必要がある１つ又は複数の衝突グループに基づいて、目標ＰＵＣＣＨリソースを決定するステップは、
前記１つ又は複数の衝突グループに基づいて、候補ＰＵＣＣＨリソースを決定するステップと、
前記１つ又は複数の衝突グループのＣＳＩ報告の負荷と第２ＣＳＩ報告の負荷の合計が、前記候補ＰＵＣＣＨリソースが目標符号化率を満たすうえで伝送可能な容量以下である場合、又は、前記候補ＰＵＣＣＨリソースが前記コンポーネントキャリアの最大容量の候補ＰＵＣＣＨリソースである場合、前記候補ＰＵＣＣＨリソースを前記目標ＰＵＣＣＨリソースとして決定するステップと、
前記１つ又は複数の衝突グループのＣＳＩ報告の負荷と第２ＣＳＩ報告の負荷の合計が、前記候補ＰＵＣＣＨリソースが目標符号化率を満たすうえで伝送可能な容量より大きく、且つ、前記候補ＰＵＣＣＨリソースが前記コンポーネントキャリアの最大容量の候補ＰＵＣＣＨリソースではない場合、前記１つ又は複数の衝突グループと前記第２ＣＳＩ報告に基づいて、前記目標ＰＵＣＣＨリソースを決定するするステップとを含む、請求項３又は４に記載の伝送方法。
【請求項８】
端末機器に適用するチャネル状態情報ＣＳＩ報告伝送のための方法であって、
コンポーネントキャリアの物理上り制御チャネルＰＵＣＣＨリソースで送信される必要がある１つ又は複数の衝突グループに基づいて、目標ＰＵＣＣＨリソースを決定するステップであって、前記目標ＰＵＣＣＨリソースが、前記１つ又は複数の衝突グループにおけるＣＳＩ報告を配置するために用いられ、前記衝突グループの任意の１つのＣＳＩ報告が、前記衝突グループにおける他の少なくとも１つのＣＳＩ報告と衝突し、且つ、前記衝突グループ以外の任意の１つのＣＳＩ報告と衝突しない、ステップと、
前記１つ又は複数の衝突グループのＣＳＩ報告の優先度がいずれも前記目標ＣＳＩ報告より低い場合、前記１つ又は複数の衝突グループのＣＳＩ報告を破棄するステップであって、前記目標ＣＳＩ報告が、前記１つ又は複数の衝突グループのＣＳＩ報告と衝突せず、前記目標ＰＵＣＣＨリソースが、前記目標ＣＳＩ報告と衝突するステップと、
前記コンポーネントキャリアにおける、前記目標ＣＳＩ報告に対応するＰＵＣＣＨリソースにおいて、前記目標ＣＳＩ報告を送信するステップと、を含む、伝送方法。
【請求項９】
ネットワーク機器に適用するチャネル状態情報ＣＳＩ報告の伝送方法であって、
コンポーネントキャリアの物理上り制御チャネルＰＵＣＣＨリソースで送信される必要がある１つ又は複数の衝突グループに基づいて、１つ又は複数の目標ＰＵＣＣＨリソースを決定するステップであって、前記１つ又は複数の目標ＰＵＣＣＨリソースが、前記１つ又は複数の衝突グループにおけるＣＳＩ報告を配置するために用いられ、前記衝突グループは少なくとも２つのＣＳＩ報告を含み、任意の１つのＣＳＩ報告が、前記衝突グループにおける他の少なくとも１つのＣＳＩ報告と衝突し、且つ、前記衝突グループ以外の任意の１つのＣＳＩ報告と衝突しないステップと、
前記決定された１つ又は複数の目標ＰＵＣＣＨリソースでＣＳＩ報告を受信するステップと、を含む、伝送方法。
【請求項１０】
前記決定された１つ又は複数の目標ＰＵＣＣＨリソースでＣＳＩ報告を受信するとき、前記伝送方法は、
第１ＣＳＩ報告は、前記コンポーネントキャリアの第１ＣＳＩ報告用のＰＵＣＣＨリソースで受信され、前記第１ＣＳＩ報告が、前記１つ又は複数の衝突グループと衝突せず、且つ、前記第１ＣＳＩ報告が、前記目標ＰＵＣＣＨリソースと衝突しないステップをさらに含む、請求項９に記載の伝送方法。
【請求項１１】
第２ＣＳＩ報告に割り当てられたＰＵＣＣＨリソースで前記第２ＣＳＩ報告を受信しないと決定するステップであって、前記第２ＣＳＩ報告が、前記１つ又は複数の衝突グループと衝突せず、且つ、前記第２ＣＳＩ報告が前記目標ＰＵＣＣＨリソースと衝突しないステップをさらに含む、請求項９に記載の伝送方法。  
【請求項１２】
第２ＣＳＩ報告に割り当てられたＰＵＣＣＨリソースで前記第２ＣＳＩ報告を受信しないと決定し、前記第２ＣＳＩ報告が、前記１つ又は複数の衝突グループと衝突せず、且つ、前記第２ＣＳＩ報告が前記目標ＰＵＣＣＨリソースと衝突する、請求項９に記載の伝送方法。
【請求項１３】
第３ＣＳＩ報告が廃棄されると決定するステップであって、前記第３ＣＳＩ報告は前記コンポーネントキャリアの１つのＰＵＣＣＨリソースに配置され、前記第３ＣＳＩ報告が、前記１つ又は複数の衝突グループと衝突せず、且つ、前記第３ＣＳＩ報告が前記目標ＰＵＣＣＨリソースと衝突するステップをさらに含む、請求項９に記載の伝送方法。
【請求項１４】
第３ＣＳＩ報告を破棄すると決定するステップは、前記１つ又は複数の衝突グループにおける少なくとも１つのＣＳＩ報告の優先度が前記第３ＣＳＩ報告以上である場合、第３ＣＳＩ報告を破棄すると決定するステップを含む、請求項１３に記載の伝送方法。
【請求項１５】
コンポーネントキャリアのＰＵＣＣＨリソースで送信される必要がある１つ又は複数の衝突グループに基づいて、目標ＰＵＣＣＨリソースを決定するステップは、
前記１つ又は複数の衝突グループに基づいて、候補ＰＵＣＣＨリソースを決定するステップと、
前記１つ又は複数の衝突グループのＣＳＩ報告の負荷と第２ＣＳＩ報告の負荷の合計が、前記候補ＰＵＣＣＨリソースが目標符号化率を満たすうえで伝送可能な容量以下である場合、又は、前記候補ＰＵＣＣＨリソースが前記コンポーネントキャリアの最大容量の候補ＰＵＣＣＨリソースである場合、前記候補ＰＵＣＣＨリソースを前記目標ＰＵＣＣＨリソースとして決定し、又は、
前記１つ又は複数の衝突グループのＣＳＩ報告の負荷と第２ＣＳＩ報告の負荷の合計が、前記候補ＰＵＣＣＨリソースが目標符号化率を満たすうえで伝送可能な容量より大きい、且つ、前記候補ＰＵＣＣＨリソースが前記コンポーネントキャリアの最大容量の候補ＰＵＣＣＨリソースではない場合、前記１つ又は複数の衝突グループと前記第２ＣＳＩ報告に基づいて、前記目標ＰＵＣＣＨリソースを決定するステップを含み、
前記ネットワーク機器は、前記一つ又は複数の衝突グループのＣＳＩ報告の負荷及び前記第２ＣＳＩ報告の負荷を決定することができる、請求項１１又は１２に記載の伝送方法。
【請求項１６】
ネットワーク機器に適用するチャネル状態情報ＣＳＩ報告伝送のための方法であって、
コンポーネントキャリアの物理上り制御チャネルＰＵＣＣＨリソースで送信される必要がある１つ又は複数の衝突グループに基づいて、目標ＰＵＣＣＨリソースを決定するステップであって、前記目標ＰＵＣＣＨリソースが、前記１つ又は複数の衝突グループにおけるＣＳＩ報告を配置するために用いられ、前記衝突グループの任意の１つのＣＳＩ報告が、前記衝突グループにおける少なくとも１つのＣＳＩ報告と衝突し、且つ、前記衝突グループ以外の任意の１つのＣＳＩ報告と衝突しないステップと、
前記１つ又は複数の衝突グループのＣＳＩ報告の優先度がいずれも前記目標ＣＳＩ報告より低い場合、前記１つ又は複数の衝突グループのＣＳＩ報告を破棄すると決定するステップであって、前記目標ＣＳＩ報告が、前記１つ又は複数の衝突グループのＣＳＩ報告と衝突せず、前記目標ＰＵＣＣＨリソースが、前記目標ＣＳＩ報告と衝突するステップと、
前記コンポーネントキャリアにおける、前記目標ＣＳＩ報告に対応するＰＵＣＣＨリソースにおいて、前記目標ＣＳＩ報告を受信するステップと、を含む、伝送方法。
【請求項１７】
コンポーネントキャリアの物理上り制御チャネルＰＵＣＣＨリソースで送信される必要がある１つ又は複数の衝突グループに基づいて、目標ＰＵＣＣＨリソースを決定する決定モジュールであって、前記目標ＰＵＣＣＨリソースが、前記１つ又は複数の衝突グループにおけるＣＳＩ報告を配置するために用いられ、前記衝突グループは少なくとも２つのＣＳＩ報告を含み、前記衝突グループの任意の１つのＣＳＩ報告が、前記衝突グループにおける少なくとも１つのＣＳＩ報告と衝突し、且つ、前記衝突グループ以外の任意の１つのＣＳＩ報告と衝突しない決定モジュールと、
前記目標ＰＵＣＣＨリソースに配置されようとするＣＳＩ報告セットの負荷は、前記目標ＰＵＣＣＨリソースが目標符号化率を満たすうえで伝送可能な容量より大きい場合、ＣＳＩ報告の優先度に基づいて、前記ＣＳＩ報告セットのうちの一部のＣＳＩ報告を前記目標ＰＵＣＣＨリソースに配置し、又は、前記ＣＳＩ報告セットの負荷は、前記目標ＰＵＣＣＨリソースが目標符号化率を満たすうえで伝送可能な容量以下である場合、前記ＣＳＩ報告セットのうちの全部のＣＳＩ報告を前記目標ＰＵＣＣＨリソースに配置する配置モジュールと、
配置されたＣＳＩ報告を前記目標ＰＵＣＣＨリソースにおいて送信する送信モジュールと、を含み、
前記ＣＳＩ報告セットは、前記１つ又は複数の衝突グループのＣＳＩ報告を少なくとも含む、端末機器。
【請求項１８】
コンポーネントキャリアの物理上り制御チャネルＰＵＣＣＨリソースで送信される必要がある１つ又は複数の衝突グループに基づいて、目標ＰＵＣＣＨリソースを決定する決定モジュールであって、前記目標ＰＵＣＣＨリソースが、前記１つ又は複数の衝突グループにおけるＣＳＩ報告を配置するために用いられ、前記衝突グループの任意の１つのＣＳＩ報告が、前記衝突グループにおける他の少なくとも１つのＣＳＩ報告と衝突し、且つ、前記衝突グループ以外の任意の１つのＣＳＩ報告と衝突しない決定モジュールと、
前記１つ又は複数の衝突グループのＣＳＩ報告の優先度がいずれも前記目標ＣＳＩ報告より低い場合、前記１つ又は複数の衝突グループのＣＳＩ報告を破棄する処理モジュールであって、前記目標ＣＳＩ報告が、前記１つ又は複数の衝突グループのＣＳＩ報告と衝突せず、前記目標ＰＵＣＣＨリソースが、前記目標ＣＳＩ報告と衝突する処理モジュールと、
前記コンポーネントキャリアにおける、前記目標ＣＳＩ報告に対応するＰＵＣＣＨリソースにおいて、前記目標ＣＳＩ報告を送信する送信モジュールと、を含む、端末機器。
【請求項１９】
コンポーネントキャリアの物理上り制御チャネルＰＵＣＣＨリソースで送信される必要がある１つ又は複数の衝突グループに基づいて、１つ又は複数の目標ＰＵＣＣＨリソースを決定する決定モジュールであって、前記１つ又は複数の目標ＰＵＣＣＨリソースが、前記１つ又は複数の衝突グループにおけるＣＳＩ報告を配置するために用いられ、前記衝突グループは少なくとも２つのＣＳＩ報告を含み、任意の１つのＣＳＩ報告が、前記衝突グループにおける他の少なくとも１つのＣＳＩ報告と衝突し、且つ、前記衝突グループ以外の任意の１つのＣＳＩ報告と衝突しない決定モジュールと、
前記決定された１つ又は複数の目標ＰＵＣＣＨリソースでＣＳＩ報告を受信する受信モジュールと、を含む、ネットワーク機器。
【請求項２０】
コンポーネントキャリアの物理上り制御チャネルＰＵＣＣＨリソースで送信される必要がある１つ又は複数の衝突グループに基づいて、目標ＰＵＣＣＨリソースを決定する第１決定モジュールであって、前記目標ＰＵＣＣＨリソースが、前記１つ又は複数の衝突グループにおけるＣＳＩ報告を配置するために用いられ、前記衝突グループの任意の１つのＣＳＩ報告が、前記衝突グループにおける少なくとも１つのＣＳＩ報告と衝突し、且つ、前記衝突グループ以外の任意の１つのＣＳＩ報告と衝突しない第１決定モジュールと、
前記１つ又は複数の衝突グループのＣＳＩ報告の優先度がいずれも前記目標ＣＳＩ報告より低い場合、前記１つ又は複数の衝突グループのＣＳＩ報告を破棄すると決定する第２決定モジュールであって、前記目標ＣＳＩ報告が、前記１つ又は複数の衝突グループのＣＳＩ報告と衝突せず、前記目標ＰＵＣＣＨリソースが、前記目標ＣＳＩ報告と衝突する第２決定モジュールと、
前記コンポーネントキャリアにおける、前記目標ＣＳＩ報告に対応するＰＵＣＣＨリソースにおいて、前記目標ＣＳＩ報告を受信する受信モジュールと、を含む、ネットワーク機器。
【請求項２１】
プロセッサと、メモリと、前記メモリに記憶され且つ前記プロセッサで実行可能なプログラムと、を含む端末機器であって、
前記プログラムが前記プロセッサによって実行されると、請求項１〜７のいずれか１項に記載の伝送方法のステップ、又は、請求項８に記載の伝送方法のステップが実現される、端末機器。
【請求項２２】
プロセッサと、メモリと、前記メモリに記憶され且つ前記プロセッサで実行可能なプログラムと、を含む端末機器であって、
前記プログラムが前記プロセッサによって実行されると、請求項９〜１５のいずれか１項に記載の伝送方法のステップ、又は、請求項１６に記載の伝送方法のステップが実現される、端末機器。
【請求項２３】
プロセッサによって実行されると、請求項１〜７のいずれか１項に記載の伝送方法のステップ、請求項８に記載の伝送方法のステップ、請求項９〜１５のいずれか１項に記載の伝送方法のステップ、又は、請求項１６に記載の伝送方法のステップが実現されるプログラムを記憶する、コンピュータ可読記憶媒体。
【発明の詳細な説明】
【技術分野】
【０００１】
本出願は、２０１８年０４月０４に中国に出願した出願番号が２０１８１０３０２３５１．６である中国特許出願を基礎出願とする優先権を主張し、その開示内容の全てが参照によって本出願に取り込まれる。
本開示は、通信分野に関し、特にＣＳＩ報告の伝送方法、端末機器及びネットワーク機器に関する。
【背景技術】
【０００２】
チャネル状態情報（Ｃｈａｎｎｅｌ  Ｓｔａｔｅ  Ｉｎｆｏｒｍａｔｉｏｎ、ＣＳＩ）報告は、周期的なＣＳＩ（Ｐｅｒｉｏｄｉｃ  ＣＳＩ、Ｐ−ＣＳＩ）報告、半永続的なＣＳＩ（Ｓｅｍｉ−Ｐｅｒｓｉｓｔｅｎｔ、ＣＳＩ  ＳＰ−ＣＳＩ）報告、又は非周期的なＣＳＩ（Ａｐｅｒｉｏｄｉｃ  ＣＳＩ、ＡＰ−ＣＳＩ）報告として設定することができる。ここで、Ｐ−ＣＳＩはＰＵＣＣＨのみで伝送され、ＳＰ−ＣＳＩはＰＵＣＣＨ又はＰＵＳＣＨで伝送可能であり、ＡＰ−ＣＳＩはＰＵＳＣＨのみで伝送される。
【０００３】
ＣＳＩ報告衝突：同一コンポーネントキャリア（Ｃｏｍｐｏｎｅｎｔ  Ｃａｒｒｉｅｒ、ＣＣ）において、２つのＣＳＩ報告に割り当てられる時間領域における直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルが少なくとも１つが重複する場合、これらの２つのＣＳＩ報告は衝突することとなる。
【０００４】
関連技術の解決手段では、ＣＳＩ報告衝突グループに対する処理メカニズムにはまだ欠陥が存在する。
【発明の概要】
【発明が解決しようとする課題】
【０００５】
本開示の実施例の目的は、少なくとも１つのＣＳＩ報告衝突グループが存在するシナリオのために衝突の解決手段を提供する、ＣＳＩ報告の伝送方法及び端末機器を提供することである。
【０００６】
第１態様では、
コンポーネントキャリアのＰＵＣＣＨリソースで伝送される必要がある１つ又は複数の衝突グループに基づいて、目標ＰＵＣＣＨリソースを決定し、該目標ＰＵＣＣＨリソースが、該１つ又は複数の衝突グループにおけるＣＳＩ報告を配置するために用いられ、該衝突グループは少なくとも２つのＣＳＩ報告を含み、該衝突グループの任意の１つのＣＳＩ報告が、該衝突グループにおける少なくとも１つのＣＳＩ報告と衝突し、且つ、該衝突グループ以外の任意の１つのＣＳＩ報告と衝突しないステップと、
該目標ＰＵＣＣＨリソースに配置されようとするＣＳＩ報告セットの負荷は、該目標ＰＵＣＣＨリソースが目標符号化率を満たすうえで伝送可能な容量より大きい場合、ＣＳＩ報告の優先度に基づいて、該ＣＳＩ報告セットのうちの一部のＣＳＩ報告を該目標ＰＵＣＣＨリソースに配置するステップと、
該ＣＳＩ報告セットの負荷は、該目標ＰＵＣＣＨリソースが目標符号化率を満たすうえで伝送可能な容量以下である場合、該ＣＳＩ報告セットのうちの全部のＣＳＩ報告を該目標ＰＵＣＣＨリソースに配置するステップと、
配置されたＣＳＩ報告を該目標ＰＵＣＣＨリソースにおいて送信するステップと、を含み、
該ＣＳＩ報告セットは、該１つ又は複数の衝突グループにおけるＣＳＩ報告を少なくとも含む、ＣＳＩ報告の伝送方法が本開示の実施例により提供される。
【０００７】
第２態様では、
コンポーネントキャリアのＰＵＣＣＨリソースで送信される必要がある１つ又は複数の衝突グループに基づいて、目標ＰＵＣＣＨリソースを決定し、該目標ＰＵＣＣＨリソースが、該１つ又は複数の衝突グループにおけるＣＳＩ報告を配置するために用いられ、該衝突グループは少なくとも２つのＣＳＩ報告を含み、該衝突グループの任意の１つのＣＳＩ報告が、該衝突グループにおける少なくとも１つのＣＳＩ報告と衝突し、且つ、該衝突グループ以外の任意の１つのＣＳＩ報告と衝突しない決定モジュールと、
該目標ＰＵＣＣＨリソースに配置されようとするＣＳＩ報告セットの負荷は、該目標ＰＵＣＣＨリソースが目標符号化率を満たすうえで伝送可能な容量より大きい場合、ＣＳＩ報告の優先度に基づいて、該ＣＳＩ報告セットのうちの一部のＣＳＩ報告を該目標ＰＵＣＣＨリソースに配置し、又は、該ＣＳＩ報告セットの負荷は、該目標ＰＵＣＣＨリソースが目標符号化率を満たすうえで伝送可能な容量以下である場合、該ＣＳＩ報告セットのうちの全部のＣＳＩ報告を該目標ＰＵＣＣＨリソースに配置する配置モジュールと、
配置されたＣＳＩ報告を該目標ＰＵＣＣＨリソースにおいて送信する送信モジュールと、を含み、
該ＣＳＩ報告セットは、該１つ又は複数の衝突グループにおけるＣＳＩ報告を少なくとも含む、端末機器が本開示の実施例により提供される。
【０００８】
第３態様では、
プロセッサと、メモリと、前記メモリに記憶され且つ前記プロセッサで実行可能なプログラムと、を含み、前記プログラムが前記プロセッサによって実行されると、第１態様に記載の方法のステップが実現される端末機器が本開示の実施例により提供される。
【０００９】
第４態様では、
プロセッサによって実行されると、第１態様に記載の方法のステップが実現されるプログラムを記憶したコンピュータ可読記憶媒体が本開示の実施例により提供される。
【００１０】
第５態様では、
コンポーネントキャリアのＰＵＣＣＨリソースで送信される必要がある１つ又は複数の衝突グループに基づいて、目標ＰＵＣＣＨリソースを決定し、該目標ＰＵＣＣＨリソースが、該１つ又は複数の衝突グループにおけるＣＳＩ報告を配置するために用いられ、該衝突グループの任意の１つのＣＳＩ報告が、該衝突グループにおける他の少なくとも１つのＣＳＩ報告と衝突し、且つ、該衝突グループ以外の任意の１つのＣＳＩ報告と衝突せず、１つの該ＣＳＩ報告が、該コンポーネントキャリアの１つのＰＵＣＣＨリソースに配置されるステップと、
該１つ又は複数の衝突グループのＣＳＩ報告の優先度がいずれも該目標ＣＳＩ報告より低い場合、該１つ又は複数の衝突グループのＣＳＩ報告を破棄し、該目標ＣＳＩ報告が、該１つ又は複数の衝突グループのＣＳＩ報告と衝突せず、該目標ＰＵＣＣＨリソースが、該目標ＣＳＩ報告と衝突するステップと、
該コンポーネントキャリアにおける、該目標ＣＳＩ報告に対応するＰＵＣＣＨリソースにおいて、該目標ＣＳＩ報告を送信するステップと、を含む、ＣＳＩ報告の伝送方法が本開示の実施例により提供される。
【００１１】
第６態様では、
コンポーネントキャリアのＰＵＣＣＨリソースで送信される必要がある１つ又は複数の衝突グループに基づいて、目標ＰＵＣＣＨリソースを決定し、該目標ＰＵＣＣＨリソースが、該１つ又は複数の衝突グループにおけるＣＳＩ報告を配置するために用いられ、該衝突グループの任意の１つのＣＳＩ報告が、該衝突グループにおける他の少なくとも１つのＣＳＩ報告と衝突し、且つ、該衝突グループ以外の任意の１つのＣＳＩ報告と衝突しない決定モジュールと、
該１つ又は複数の衝突グループのＣＳＩ報告の優先度がいずれも該目標ＣＳＩ報告より低い場合、該１つ又は複数の衝突グループのＣＳＩ報告を破棄し、ここで、該目標ＣＳＩ報告が、該１つ又は複数の衝突グループのＣＳＩ報告と衝突せず、該目標ＰＵＣＣＨリソースが、該目標ＣＳＩ報告と衝突する処理モジュールと、
該コンポーネントキャリアにおける、該目標ＣＳＩ報告に対応するＰＵＣＣＨリソースにおいて、該目標ＣＳＩ報告を送信する送信モジュールと、を含む、端末機器が本開示の実施例により提供される。
【００１２】
第７態様では、プロセッサと、メモリと、前記メモリに記憶され且つ前記プロセッサで実行可能なプログラムと、を含み、前記プログラムが前記プロセッサによって実行されると、第５態様に記載の方法のステップが実現される、端末機器が本開示の実施例により提供される。
【００１３】
第８態様では、プロセッサによって実行されると、第５態様に記載の方法のステップが実現されるプログラムを記憶したコンピュータ可読記憶媒体が本開示の実施例により提供される。
【００１４】
第９態様では、
コンポーネントキャリアのＰＵＣＣＨリソースで送信される必要がある１つ又は複数の衝突グループに基づいて、１つ又は複数の目標ＰＵＣＣＨリソースを決定し、該１つ又は複数の目標ＰＵＣＣＨリソースが、該１つ又は複数の衝突グループにおけるＣＳＩ報告を配置するために用いられ、該衝突グループは少なくとも２つのＣＳＩ報告を含み、任意の１つのＣＳＩ報告が、該衝突グループにおける他の少なくとも１つのＣＳＩ報告と衝突し、且つ、該衝突グループ以外の任意の１つのＣＳＩ報告と衝突しないステップと、
該決定された１つ又は複数の目標ＰＵＣＣＨリソースでＣＳＩ報告を受信するステップと、を含む、ＣＳＩ報告の伝送方法が本開示の実施例により提供される。
【００１５】
第１０態様では、
コンポーネントキャリアのＰＵＣＣＨリソースで送信される必要がある１つ又は複数の衝突グループに基づいて、１つ又は複数の目標ＰＵＣＣＨリソースを決定し、該１つ又は複数の目標ＰＵＣＣＨリソースが、該１つ又は複数の衝突グループにおけるＣＳＩ報告を配置するために用いられ、該衝突グループは少なくとも２つのＣＳＩ報告を含み、任意の１つのＣＳＩ報告が、該衝突グループにおける他の少なくとも１つのＣＳＩ報告と衝突し、且つ、該衝突グループ以外の任意の１つのＣＳＩ報告と衝突しない決定モジュールと、
該決定された１つ又は複数の目標ＰＵＣＣＨリソースでＣＳＩ報告を受信する受信モジュールと、を含むネットワーク機器が本開示の実施例により提供される。
【００１６】
第１１態様では、プロセッサと、メモリと、前記メモリに記憶され且つ前記プロセッサで実行可能なプログラムと、を含み、前記プログラムが前記プロセッサによって実行されると、第９態様に記載の方法のステップが実現される、ネットワーク機器が本開示の実施例により提供される。
【００１７】
第１２態様では、プロセッサによって実行されると、第９態様に記載の方法のステップが実現されるプログラムを記憶したコンピュータ可読記憶媒体が本開示の実施例により提供される。
【００１８】
第１３態様では、
コンポーネントキャリアのＰＵＣＣＨリソースで送信される必要がある１つ又は複数の衝突グループに基づいて、目標ＰＵＣＣＨリソースを決定し、該目標ＰＵＣＣＨリソースが、該１つ又は複数の衝突グループにおけるＣＳＩ報告を配置するために用いられ、該衝突グループの任意の１つのＣＳＩ報告が、該衝突グループにおける少なくとも１つのＣＳＩ報告と衝突し、且つ、該衝突グループ以外の任意の１つのＣＳＩ報告と衝突しないステップと、
該１つ又は複数の衝突グループのＣＳＩ報告の優先度がいずれも該目標ＣＳＩ報告より低い場合、該１つ又は複数の衝突グループのＣＳＩ報告の破棄を決定し、該目標ＣＳＩ報告が、該１つ又は複数の衝突グループのＣＳＩ報告と衝突せず、該目標ＰＵＣＣＨリソースが、該目標ＣＳＩ報告と衝突するステップと、
該コンポーネントキャリアにおける、該目標ＣＳＩ報告に対応するＰＵＣＣＨリソースにおいて、該目標ＣＳＩ報告を受信するステップと、を含む、ＣＳＩ報告の伝送方法が本開示の実施例により提供される。
【００１９】
第１４態様では、
コンポーネントキャリアのＰＵＣＣＨリソースで送信される必要がある１つ又は複数の衝突グループに基づいて、目標ＰＵＣＣＨリソースを決定し、該目標ＰＵＣＣＨリソースが、該１つ又は複数の衝突グループにおけるＣＳＩ報告を配置するために用いられ、該衝突グループの任意の１つのＣＳＩ報告が、該衝突グループにおける他の少なくとも１つのＣＳＩ報告と衝突し、且つ、該衝突グループ以外の任意の１つのＣＳＩ報告と衝突しない第１決定モジュールと、
該１つ又は複数の衝突グループのＣＳＩ報告の優先度がいずれも該目標ＣＳＩ報告より低い場合、該１つ又は複数の衝突グループのＣＳＩ報告の破棄を決定し、該目標ＣＳＩ報告が、該１つ又は複数の衝突グループのＣＳＩ報告と衝突せず、該目標ＰＵＣＣＨリソースが、該目標ＣＳＩ報告と衝突する第２決定モジュールと、
該コンポーネントキャリアにおける、該目標ＣＳＩ報告に対応するＰＵＣＣＨリソースにおいて、該目標ＣＳＩ報告を受信する受信モジュールと、を含む、端末機器が本開示の実施例により提供される。
【００２０】
第１５態様では、プロセッサと、メモリと、前記メモリに記憶され且つ前記プロセッサで実行可能なプログラムと、を含み、前記プログラムが前記プロセッサによって実行されると、第１３態様に記載の方法のステップが実現される、端末機器が本開示の実施例により提供される。
【００２１】
第１６態様では、プロセッサによって実行されると、第１３態様に記載の方法のステップが実現されるプログラムを記憶したコンピュータ可読記憶媒体が本開示の実施例により提供される。
【発明の効果】
【００２２】
本開示の実施例において、同じコンポーネントキャリアのＰＵＣＣＨリソースで送信される必要がある１つ又は複数の衝突グループに基づいて、目標ＰＵＣＣＨリソースを決定し、該１つ又は複数の衝突グループにおけるＣＳＩ報告の少なくとも一部を該目標ＰＵＣＣＨリソースに配置し送信することにより、同じコンポーネントキャリアでのＣＳＩ報告のＰＵＣＣＨリソース競合の問題が解決され、ＣＳＩ報告の少なくとも一部のための伝送が提供される。
【００２３】
一方では、本開示の実施例において、同じコンポーネントキャリアのＰＵＣＣＨリソースで送信される必要がある１つ又は複数の衝突グループに基づいて、目標ＰＵＣＣＨリソースを決定し、また、目標ＰＵＣＣＨリソースが衝突グループ以外の目標ＣＳＩ報告と衝突し、且つ、衝突グループのＣＳＩ報告の優先度が目標ＣＳＩ報告の優先度よりも低い場合、一つ又は複数の衝突グループのＣＳＩ報告を破棄して目標ＣＳＩ報告を送信することにより、一部のシナリオにおいて優先度の高いＣＳＩ報告のための伝送が提供される。
【００２４】
本明細書に記載の図面は、本開示のさらなる理解を提供するものであり、本開示の一部を構成する。本開示の概略的な実施例及びその説明は、本開示を説明するためのものであり、本開示を不適切に限定するものではない。
【図面の簡単な説明】
【００２５】
【図１】本開示の一実施例によるＣＳＩ報告の伝送方法のフローチャートである。
【図２】本開示の一実施例による同じＣＣでＰＵＣＣＨリソースを介して送信されるＣＳＩ報告衝突のシナリオ概略図である。
【図３】本開示の一実施例による同じＣＣでＰＵＣＣＨリソースを介して送信されるＣＳＩ報告衝突のシナリオ概略図である。
【図４】本開示の一実施例による同じＣＣでＰＵＣＣＨリソースを介して送信されるＣＳＩ報告衝突のシナリオ概略図である。
【図５】本開示の一実施例によるＣＳＩ報告の伝送方法のフローチャートである。
【図６】本開示の一実施例によるＣＳＩ報告の伝送方法のフローチャートである。
【図７】本開示の一実施例によるＣＳＩ報告の伝送方法のフローチャートである。
【図８】本開示の一実施例による端末機器の構成を示す図である。
【図９】本開示の一実施例による端末機器の構成を示す図である。
【図１０】本開示の一実施例によるネットワーク機器の構成を示す図である。
【図１１】本開示の一実施例によるネットワーク機器の構成を示す図である。
【図１２】本開示の一実施例による端末機器のブロック図である。
【図１３】本開示の一実施例による端末機器のブロック図である。
【図１４】本開示の一実施例によるネットワーク機器のブロック図である。
【図１５】本開示の一実施例によるネットワーク機器のブロック図である。
【発明を実施するための形態】
【００２６】
以下、本開示の実施例の技術的な手段を本開示の実施例の添付の図面を参照して明瞭且つ完全に説明する。明らかに、説明される実施例は、本開示の一部の実施例に過ぎず、全ての実施例ではない。本開示の実施例に基づいて当業者が創造的な労働をせずに取得したすべてのその他の実施例は、いずれも本開示の保護範囲内に入る。
【００２７】
本開示の技術案は、例えば、汎欧州デジタル移動体通信システム（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）／エンハンストロングタームエボリューション（ＬＴＥ−Ａ、Ｌｏｎｇ  Ｔｅｒｍ  Ｅｖｏｌｕｔｉｏｎ  Ａｄｖａｎｃｅｄ）、ＮＲ（Ｎｅｗ  Ｒａｄｉｏ）などのような様々な通信システムに適用可能である。
【００２８】
ユーザ機器（ＵＥ、Ｕｓｅｒ  Ｅｑｕｉｐｍｅｎｔ）は、モバイル端末（Ｍｏｂｉｌｅ  Ｔｅｒｍｉｎａｌ）、モバイルユーザ機器、端末機器などとも呼ばれ、無線アクセスネットワーク（例えば、ＲＡＮ、Ｒａｄｉｏ  Ａｃｃｅｓｓ  Ｎｅｔｗｏｒｋ  ）を介して１つ又は複数のコアネットワークと通信することができる。ユーザ機器は、携帯電話（又は「セルラー」電話と呼ばれる）などのモバイル端末、及びモバイル端末を有するコンピュータであってもよく、例えば、携帯型、ポケットサイズ、ハンドヘルド、コンピュータ内蔵又は車載のモバイル装置であってもよく、これらは、無線アクセスネットワークと言語及び／又はデータを交換する。
【００２９】
ＣＳＩ報告衝突：同一コンポーネントキャリア（Ｃｏｍｐｏｎｅｎｔ  Ｃａｒｒｉｅｒ、ＣＣ  ）で２つのＣＳＩ報告に割り当てられ、時間領域において少なくとも１つの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルが重複すると、これらの２つのＣＳＩ報告は衝突する。
【００３０】
衝突グループ：同一ＣＣで衝突するＣＳＩ報告のセット、ここで、衝突グループの任意の１つのＣＳＩ報告は、衝突グループにおける他の少なくとも１つのＣＳＩ報告と衝突し、且つ、衝突グループ以外の任意の１つのＣＳＩ報告と衝突しない。
【００３１】
以下、図面を参照して、本開示の各実施例による技術案を詳細に説明する。
【００３２】
図１は本開示の一実施例によるＣＳＩ報告の伝送方法のフローチャートである。図１の方法は、端末機器に適用できる。この方法は、ステップＳ１１０からＳ１４０を含む。
【００３３】
Ｓ１１０：コンポーネントキャリアのＰＵＣＣＨリソースで送信される必要がある１つ又は複数の衝突グループに基づいて、目標ＰＵＣＣＨリソースを決定する。  
【００３４】
ここで、目標ＰＵＣＣＨリソースは、１つ又は複数の衝突グループにおけるＣＳＩ報告を配置するために用いられる。衝突グループは少なくとも２つのＣＳＩ報告を含み、衝突グループの任意の１つのＣＳＩ報告は、衝突グループにおける少なくとも１つのＣＳＩ報告と衝突し、且つ、衝突グループ以外の任意の１つのＣＳＩ報告と衝突しない。
【００３５】
コンポーネントキャリアの１つのＰＵＣＣＨリソースを使用するために１つのＣＳＩ報告が割り当てられることを理解されたい。ＣＳＩ報告に用いられるＰＵＣＣＨリソースとコンポーネントキャリアの両方は、ネットワーク機器（例えば、基地局など）によって割り当てることができる。
【００３６】
１つのＣＳＩ報告に用いられるＰＵＣＣＨリソースと、衝突グループにおける任意の１つのＣＳＩ報告に用いられるＰＵＣＣＨリソースとの両方の符号が重複しない場合、ＣＳＩ報告は衝突グループと衝突しない、即ち、ＣＳＩ報告は衝突グループに属さないことを理解されたい。
【００３７】
ＣＳＩ報告用のコンポーネントキャリアリソース及びコンポーネントキャリアのＰＵＣＣＨリソースは、共に予め割り当てられることを理解されたい。例えば、ネットワーク側機器（基地局など）により端末機器に割り当てられてもよい。
【００３８】
本開示の実施例において、目標ＰＵＣＣＨリソースは、ｍｕｌｔｉ−ＣＳＩ  ＰＵＣＣＨリソースであり得る。衝突したＣＳＩ報告は、重複することなく、ｍｕｌｔｉ−ＣＳＩ  ＰＵＣＣＨリソースに配置され得ることを理解されたい。
【００３９】
ＣＳＩ報告に基づいて目標ＰＵＣＣＨリソースを決定する方法は、従来技術を参照することができることを理解されたい。具体的には、１つ又は複数の衝突グループのＣＳＩ報告負荷に基づいて、１つ又は複数の衝突グループのすべてのＣＳＩ報告負荷を配置できる最小容量のｍｕｌｔｉ−ＣＳＩ  ＰＵＣＣＨリソースを優先的に選択する。上記の要件が満たされない場合、最大容量のｍｕｌｔｉ−ＣＳＩ  ＰＵＣＣＨリソースは、目標ＰＵＣＣＨリソースとして用いられる。
【００４０】
選択的に、ＮＲは、ＵＥが各ＵＬ  ＢＷＰに追加的にＪ＝２個の複数ＣＳＩ報告を送信するためのＰＵＣＣＨリソースであるｍｕｌｔｉ−ＣＳＩ  ＰＵＣＣＨを配置することを、支援する。ＰＵＣＣＨに基づく２つ又は２つ以上のＣＳＩ報告が衝突する場合、配置されたｍｕｌｔｉ−ＣＳＩ  ＰＵＣＣＨリソースの目標コーディングレートによって、リソースで送信できる高優先度ＣＳＩ報告の数が決定され、他の低優先度ＣＳＩ報告は破棄される。ＰＵＣＣＨに基づく複数のＣＳＩ報告が衝突する場合、以下のルールに従ってｍｕｌｔｉ−ＣＳＩ  ＰＵＣＣＨリソースを選択する。
すべての衝突したＣＳＩ報告負荷を配置できる最小容量のｍｕｌｔｉ−ＣＳＩ  ＰＵＣＣＨリソースが選択される。上記の要件が満たされない場合、最大容量のｍｕｌｔｉ−ＣＳＩ  ＰＵＣＣＨリソースが選択され、優先度に従って破棄される。
【００４１】
本開示の実施例において、目標ＰＵＣＣＨリソース及び候補ＰＵＣＣＨリソースは、ｍｕｌｔｉ−ＣＳＩ  ＰＵＣＣＨリソースを意味することを理解されたい。候補はＪ個の利用可能なｍｕｌｔｉ−ＣＳＩ  ＰＵＣＣＨリソースであり、目標は背景技術のルールに従って決定された１つのｍｕｌｔｉ−ＣＳＩ  ＰＵＣＣＨリソースである。本開示の他の場所で言及される目標ＰＵＣＣＨリソース及び候補ＰＵＣＣＨリソースは、これと同様である。
【００４２】
目標ＰＵＣＣＨリソースに配置されようとするＣＳＩ報告が、１つ又は複数の衝突グループにおけるＣＳＩ報告に限定されない場合、１つ又は複数の衝突グループに基づいて目標ＰＵＣＣＨリソースを決定するステップは、
１つ又は複数の衝突グループのＣＳＩ報告負荷に基づいて目標ＰＵＣＣＨリソースを決定すること、
また、１つ又は複数の衝突グループと、衝突グループ以外部の目標ＰＵＣＣＨリソースに配置されようとするＣＳＩ報告とに基づいて、目標ＰＵＣＣＨリソースを決定し、つまり、１つ又は複数の衝突グループのＣＳＩ報告負荷と、衝突グループ以外部の目標ＰＵＣＣＨリソースに配置されようとするＣＳＩ報告負荷に基づいて、目標ＰＵＣＣＨリソースを決定する。
【００４３】
Ｓ１２０：目標ＰＵＣＣＨリソースに配置されようとするＣＳＩ報告セットの負荷は、目標ＰＵＣＣＨリソースが目標符号化率を満たすうえで伝送可能な容量より大きい場合、ＣＳＩ報告の優先度に基づいて、ＣＳＩ報告セットのうちの一部のＣＳＩ報告を目標ＰＵＣＣＨリソースに配置する。
【００４４】
本開示の実施例において、ＣＳＩ報告の優先度は、従来技術におけるＣＳＩ報告が衝突するときに廃棄する優先度規定をそのまま使用できることを理解されたい。具体的には、各ＣＳＩ報告は１つの優先度の値に対応しており、ＣＳＩ報告の衝突が生じるか、又はアップリンクの送信リソースが制限される場合、ＵＥは高い（又は低い）優先度の値を持つＣＳＩ報告を送信しない。例えば、ＣＳＩの優先度は、まずルール１に従って決定され、ルール１に従って求めた優先度が等しい場合、ルール２に従って決定されることで類推される。
【００４５】
ルール１：時間領域の動作／チャネルタイプに従って優先度を決定決定する。優先度の順番は、ＡＰ−ＣＳＩ  ＞  ＰＵＳＣＨの上のＳＰ−ＣＳＩ  ＞  ＰＵＣＣＨの上のＳＰ−ＣＳＩ  ＞  Ｐ−ＣＳＩである。
ルール２：ＣＳＩ内容に従って優先度を決定する。優先度の順番は、ビーム報告（Ｂｅａｍ  ｒｅｐｏｒｔｓ）  ＞  ＣＳＩである。
ルール３：ＣｅｌｌＩＤに従って優先度を決定する。優先度の順番は、プライマリセル（ＰＣｅｌｌ）  ＞  ＰＳＣｅｌｌ  ＞昇順に並んだ他のｃｅｌｌ  ＩＤである。
ルール４：ＣＳＩ  ＲｅｐｏｒｔＩＤに従って優先度を決定する。優先度の順番は、ＣＳＩ  ＲｅｐｏｒｔＩＤの昇順である。
【００４６】
ここで、ルール２〜４は、ＰＵＣＣＨ送信に基づくＡＰ−ＣＳＩとＳＰ−ＣＳＩ報告にのみ適用する。
【００４７】
もちろん、本開示の実施例の方法が他の優先度ルールを採用するシナリオは除外されず、本開示の実施例はここでそれを限定しない。
【００４８】
Ｓ１３０：ＣＳＩ報告セットの負荷は、目標ＰＵＣＣＨリソースが目標符号化率を満たすうえで伝送可能な容量以下である場合、ＣＳＩ報告セットのうちの全部のＣＳＩ報告を目標ＰＵＣＣＨリソースに配置する。
【００４９】
Ｓ１４０：配置されたＣＳＩ報告を目標ＰＵＣＣＨリソースにおいて送信する。
【００５０】
ここで、ＣＳＩ報告セットは、前記１つ又は複数の衝突グループにおけるＣＳＩ報告を含む。
本開示の実施例において、同じコンポーネントキャリアのＰＵＣＣＨリソースで送信される必要がある１つ又は複数の衝突グループに基づいて、目標ＰＵＣＣＨリソースを決定し、１つ又は複数の衝突グループにおけるＣＳＩ報告の少なくとも一部を目標ＰＵＣＣＨリソースに配置し送信することにより、同じコンポーネントキャリアでのＣＳＩ報告のＰＵＣＣＨリソース競合の問題が解決される。
【００５１】
図２は本開示の一実施例による同じＣＣでＰＵＣＣＨリソースを介して送信されるＣＳＩ報告衝突のシナリオ概略図である。図２に示すように、点線の矩形枠Ｍはｍｕｌｔｉ−ＣＳＩ  ＰＵＣＣＨリソースを表し、１つの実線の矩形枠はＣＳＩ報告が占有するＰＵＣＣＨリソースを表し、１、２、３、４、５は、それぞれＰＵＣＣＨに基づくＣＳＩ報告１、２、３、４、５を表し、且つ、１は、最も高い優先度を表し、他は順次に類推できる。横軸は時間、縦軸は周波数である。図２において、ＣＳＩ報告１、ＣＳＩ報告２、及びＣＳＩ報告３が衝突し、ＣＳＩ報告４とＣＳＩ報告５が衝突し、｛ＣＳＩ報告１、ＣＳＩ報告２、ＣＳＩ報告３｝と｛ＣＳＩ報告４、ＣＳＩ報告５｝が衝突しない。衝突グループの定義によれば、｛ＣＳＩ報告１、ＣＳＩ報告２、ＣＳＩ報告３｝は１つの衝突グループであり、｛ＣＳＩ報告４、ＣＳＩ報告５｝は別の衝突グループである。図２に基づいて、次の表を取得できる。
【００５２】
[テーブル１]
2021517783.tif 000003
【００５３】
本開示の実施例において、衝突グループ｛ＣＳＩ報告１、ＣＳＩ報告２、ＣＳＩ報告３｝と衝突グループ｛ＣＳＩ報告４、ＣＳＩ報告５｝とが、目標ＰＵＣＣＨリソースＭに配置され得る。
【００５４】
もちろん、目標ＰＵＣＣＨリソースに配置される過程で、１つ又は複数の衝突グループのＣＳＩ報告の負荷が、目標ＰＵＣＣＨリソースの目標符号化率によってサポートされるビット数を超える場合、１つ又は複数の衝突グループにおけるＣＳＩ報告の優先度に基づいて、優先度の低いＣＳＩ報告を破棄してもよいことを理解されたい。
【００５５】
選択的に、いくつかの実施例において、ステップＳ１４０が実行されるとき、この方法は、
第１ＣＳＩ報告は、コンポーネントキャリアの第１ＣＳＩ報告用のＰＵＣＣＨリソースで送信される。ここで、第１ＣＳＩ報告が、１つ又は複数の衝突グループと衝突せず、且つ、第１ＣＳＩ報告が、目標ＰＵＣＣＨリソースと衝突しないステップをさらに含む。
【００５６】
図３は本開示の一実施例による同じＣＣでＰＵＣＣＨリソースを介して送信されるＣＳＩ報告衝突のシナリオ概略図である。図３において、ＣＳＩ報告１、ＣＳＩ報告２、及びＣＳＩ報告３が衝突し、ＣＳＩ報告４とＣＳＩ報告５が衝突し、且つ、｛ＣＳＩ報告１、ＣＳＩ報告２、ＣＳＩ報告３｝と｛ＣＳＩ報告４、ＣＳＩ報告５｝が衝突しない。また、ＣＳＩ報告ｘは、他のＣＳＩ報告と衝突せず、目標ＰＵＣＣＨリソースＭとも衝突しない。
【００５７】
このとき、衝突グループ｛ＣＳＩ報告１、ＣＳＩ報告２、ＣＳＩ報告３｝及び｛ＣＳＩ報告４、ＣＳＩ報告５｝の配置は、前述した実施例の図２に示す応用シナリオの方案を参照することができる。また、ＣＳＩ報告ｘに対して、非衝突グループ及び目標ＰＵＣＣＨリソースＭは、元々ＣＳＩ報告ｘに配置されたＰＵＣＣＨリソースで送信されてもよい。
【００５８】
選択的に、いくつかの実施例において、ＣＳＩ報告セットは、第２ＣＳＩ報告をさらに含む。ここで、第２ＣＳＩ報告はコンポーネントキャリアの１つのＰＵＣＣＨリソースに配置され、第２ＣＳＩ報告が、１つ又は複数の衝突グループと衝突せず、且つ、第２ＣＳＩ報告が目標ＰＵＣＣＨリソースと衝突しない。
【００５９】
引き続き図３を例にとると、これらの実施例において、ＣＳＩ報告Ｘも目標ＰＵＣＣＨリソースＭに配置されてもよい。また、ＣＳＩ報告１−５とＣＳＩ報告ｘの負荷の合計が目標ＰＵＣＣＨリソースの目標符号化率によってサポートされるビット数を超える場合、ＣＳＩ報告１−５とＣＳＩ報告ｘの優先度に基づいて、優先度の低いＣＳＩ報告を破棄することができる。
【００６０】
選択的に、いくつかの実施例において、ＣＳＩ報告セットは、第２ＣＳＩ報告をさらに含む。ここで、第２ＣＳＩ報告はコンポーネントキャリアの１つのＰＵＣＣＨリソースに配置され、第２ＣＳＩ報告が、１つ又は複数の衝突グループと衝突せず、且つ、第２ＣＳＩ報告が目標ＰＵＣＣＨリソースと衝突する。
【００６１】
図４は本開示の一実施例による同じＣＣでＰＵＣＣＨリソースを介して送信されるＣＳＩ報告衝突のシナリオ概略図である。図４において、ＣＳＩ報告１、ＣＳＩ報告２、及びＣＳＩ報告３が衝突し、ＣＳＩ報告４とＣＳＩ報告５が衝突し、且つ、｛ＣＳＩ報告１、ＣＳＩ報告２、ＣＳＩ報告３｝と｛ＣＳＩ報告４、ＣＳＩ報告５｝が衝突しない。また、ＣＳＩ報告ｘは、他のＣＳＩ報告と衝突しないが、目標ＰＵＣＣＨリソースＭと衝突する。
【００６２】
これらの実施例において、ＣＳＩ報告Ｘも目標ＰＵＣＣＨリソースＭに配置されてもよい。また、ＣＳＩ報告１−５とＣＳＩ報告ｘの負荷の合計が目標ＰＵＣＣＨリソースの目標符号化率によってサポートされるビット数を超える場合、ＣＳＩ報告１−５とＣＳＩ報告ｘの優先度に基づいて、優先度の低いＣＳＩ報告を破棄することができる。
【００６３】
選択的に、いくつかの実施例において、第２ＣＳＩ報告が目標ＰＵＣＣＨリソースと衝突する場合、ステップＳ１４０の前に、
第３ＣＳＩ報告を廃棄し、第３ＣＳＩ報告がコンポーネントキャリアの１つのＰＵＣＣＨリソースに配置され、第３ＣＳＩ報告が、１つ又は複数の衝突グループと衝突せず、且つ、第３ＣＳＩ報告が目標ＰＵＣＣＨリソースと衝突するステップをさらに含む。
【００６４】
引き続き図４に示すシナリオを例にとると、ＣＳＩ報告ｘが目標ＰＵＣＣＨリソースＭと衝突する場合、１つ又は複数の衝突グループを目標ＰＵＣＣＨリソースＭに配置することができ、ＣＳＩ報告ｘを破棄することができる。
【００６５】
さらに、ＣＳＩ報告セットのうちの少なくとも１つのＣＳＩ報告の優先度が第３ＣＳＩ報告以上である場合、第３ＣＳＩ報告を破棄する。
【００６６】
引き続き図４に示すシナリオを例にとると、ＣＳＩ報告ｘは目標ＰＵＣＣＨリソースＭと衝突する場合、ＣＳＩ報告１〜５の優先度とＣＳＩ報告ｘの優先度との関係を比較し、ＣＳＩ報告１−５のうちの少なくとも１つのＣＳＩ報告の優先度がＣＳＩ報告ｘよりも高い場合、ＣＳＩ報告ｘは破棄される。
【００６７】
選択的に、衝突グループ以外部にＣＳＩ報告が存在するいくつかの実施例において、ステップＳ１１０は、以下のように実施されてもよい。
【００６８】
１つ又は複数の衝突グループに基づいて、候補ＰＵＣＣＨリソースを決定し、
１つ又は複数の衝突グループのＣＳＩ報告の負荷と第２ＣＳＩ報告の負荷の合計が、候補ＰＵＣＣＨリソースが目標符号化率を満たすうえで伝送可能な容量以下である場合、または、候補ＰＵＣＣＨリソースがコンポーネントキャリアの最大容量の候補ＰＵＣＣＨリソースである場合、候補ＰＵＣＣＨリソースを目標ＰＵＣＣＨリソースとして決定し、
１つ又は複数の衝突グループのＣＳＩ報告の負荷と第２ＣＳＩ報告の負荷の合計が、候補ＰＵＣＣＨリソースが目標符号化率を満たすうえで伝送可能な容量より大きく、且つ、候補ＰＵＣＣＨリソースがコンポーネントキャリアの最大容量の候補ＰＵＣＣＨリソースではない場合、１つ又は複数の衝突グループと第２ＣＳＩ報告に基づいて、目標ＰＵＣＣＨリソースを決定する。
【００６９】
本開示の実施例において、上述の技術案により、同じコンポーネントキャリアでのＣＳＩ報告のＰＵＣＣＨリソース競合の問題が解決され、ＣＳＩ報告の少なくとも一部に送信が提供される。
【００７０】
図５は本開示の一実施例によるＣＳＩ報告の伝送方法のフローチャートである。この方法は、端末機器に適用され、ステップＳ５１０〜Ｓ５３０を含む。
【００７１】
Ｓ５１０：コンポーネントキャリアのＰＵＣＣＨリソースで送信される必要がある１つ又は複数の衝突グループに基づいて、目標ＰＵＣＣＨリソースを決定する。
【００７２】
ここで、目標ＰＵＣＣＨリソースは、１つ又は複数の衝突グループにおけるＣＳＩ報告を配置するために用いられ、衝突グループの任意の１つのＣＳＩ報告は、衝突グループにおける他の少なくとも１つのＣＳＩ報告と衝突し、且つ、衝突グループ以外の任意の１つのＣＳＩ報告と衝突しない。
【００７３】
コンポーネントキャリアの１つのＰＵＣＣＨリソースを使用するために１つのＣＳＩ報告が割り当てられることが理解されるべきである。ＣＳＩ報告に用いられるＰＵＣＣＨリソースとコンポーネントキャリアの両方は、ネットワーク機器（例えば、基地局など）によって割り当てることができる。
【００７４】
Ｓ５２０：１つ又は複数の衝突グループのＣＳＩ報告の優先度がいずれも目標ＣＳＩ報告より低い場合、１つ又は複数の衝突グループのＣＳＩ報告を破棄する。
【００７５】
ここで、目標ＣＳＩ報告は１つ又は複数の衝突グループのＣＳＩ報告と衝突せず、目標ＰＵＣＣＨリソースは目標ＣＳＩ報告と衝突する。
【００７６】
Ｓ５３０：コンポーネントキャリアにおける、目標ＣＳＩ報告に対応するＰＵＣＣＨリソースにおいて、目標ＣＳＩ報告を送信する。
【００７７】
本開示の実施例において、衝突グループを配置するためのＰＵＣＣＨリソースが目標ＣＳＩ報告と衝突し、且つ、衝突グループのＣＳＩ報告の優先度がいずれも目標ＣＳＩ報告の優先度より低い場合に、衝突グループのＣＳＩ報告を廃棄することによって、一部のシナリオで優先度の高いＣＳＩ報告に送信が提供される。
【００７８】
引き続き図４に示すシナリオを例にとると、ＣＳＩ報告ｘは目標ＰＵＣＣＨリソースＭと衝突する場合、ＣＳＩ報告１〜５の優先度とＣＳＩ報告ｘの優先度との関係を比較し、ＣＳＩ報告１−５のうちのＣＳＩ報告の優先度がいずれもＣＳＩ報告ｘより低い場合、ＣＳＩ報告１−５は破棄される。
【００７９】
図６は本開示の一実施例によるＣＳＩ報告の伝送方法のフローチャートである。図１の方法は、ネットワーク機器に適用できる。この方法は、ステップＳ６１０及びＳ６２０を含む。
【００８０】
Ｓ６１０：コンポーネントキャリアのＰＵＣＣＨリソースで送信される必要がある１つ又は複数の衝突グループに基づいて、１つ又は複数の目標ＰＵＣＣＨリソースを決定する。
【００８１】
ここで、１つ又は複数の目標ＰＵＣＣＨリソースは、１つ又は複数の衝突グループにおけるＣＳＩ報告を配置するために用いられ、衝突グループは少なくとも２つのＣＳＩ報告を含み、任意の１つのＣＳＩ報告は、衝突グループにおける他の少なくとも１つのＣＳＩ報告と衝突し、且つ、衝突グループ以外の任意の１つのＣＳＩ報告と衝突しない。
【００８２】
コンポーネントキャリアの１つのＰＵＣＣＨリソースを使用するために１つのＣＳＩ報告が割り当てられることが理解されるべきである。ＣＳＩ報告に用いられるＰＵＣＣＨリソースとコンポーネントキャリアの両方は、ネットワーク機器（例えば、基地局など）によって割り当てることができる。
【００８３】
ステップＳ６１０の具体的な実現は、図１のステップＳ１１０を参照することができる。
【００８４】
Ｓ６２０：決定された１つ又は複数の目標ＰＵＣＣＨリソースでＣＳＩ報告を受信する。
本開示の実施例において、同じコンポーネントキャリアのＰＵＣＣＨリソースで送信される必要がある１つ又は複数の衝突グループに基づいて、１つ又は複数の目標ＰＵＣＣＨリソースを決定し、また、決定された１つ又は複数の目標ＰＵＣＣＨリソースでＣＳＩ報告を受信し、これにより、同じコンポーネントキャリアでのＣＳＩ報告のＰＵＣＣＨリソース競合の問題が解決される。
【００８５】
選択的に、いくつかの実施例において、この方法は、
第１ＣＳＩ報告は、コンポーネントキャリアの第１ＣＳＩ報告用のＰＵＣＣＨリソースで受信される。ここで、第１ＣＳＩ報告が、１つ又は複数の衝突グループと衝突せず、且つ、第１ＣＳＩ報告が、目標ＰＵＣＣＨリソースと衝突しないステップをさらに含む。
【００８６】
選択的に、いくつかの実施例において、この方法は、第２ＣＳＩ報告に割り当てられたＰＵＣＣＨリソースで第２ＣＳＩ報告を受信しないと決定し、第２ＣＳＩ報告が、１つ又は複数の衝突グループと衝突せず、且つ、第２ＣＳＩ報告が目標ＰＵＣＣＨリソースと衝突しないステップをさらに含む。
【００８７】
選択的に、いくつかの実施例において、第２ＣＳＩ報告に割り当てられたＰＵＣＣＨリソースで第２ＣＳＩ報告を受信しないと決定し、第２ＣＳＩ報告は、１つ又は複数の衝突グループと衝突せず、且つ、第２ＣＳＩ報告は目標ＰＵＣＣＨリソースと衝突する。
【００８８】
選択的に、いくつかの実施例において、この方法は、第３ＣＳＩ報告を破棄すると決定する。ここで、第３ＣＳＩ報告はコンポーネントキャリアの１つのＰＵＣＣＨリソースに配置され、第３ＣＳＩ報告が、１つ又は複数の衝突グループと衝突せず、且つ、第３ＣＳＩ報告が目標ＰＵＣＣＨリソースと衝突するステップをさらに含む。
【００８９】
さらに、第３ＣＳＩ報告を破棄すると決定するステップは、１つ又は複数の衝突グループにおける少なくとも１つのＣＳＩ報告の優先度が第３ＣＳＩ報告以上である場合、第３ＣＳＩ報告を破棄すると決定するステップを含む。
【００９０】
選択的に、いくつかの実施例において、ステップＳ６１０は、以下のように実施されてもよい：  
１つ又は複数の衝突グループに基づいて、候補目標ＰＵＣＣＨリソースを決定し、
１つ又は複数の衝突グループのＣＳＩ報告の負荷と第２ＣＳＩ報告の負荷の合計が、候補ＰＵＣＣＨリソースが目標符号化率を満たすうえで伝送可能な容量以下である場合、また、候補ＰＵＣＣＨリソースがコンポーネントキャリアの最大容量の候補ＰＵＣＣＨリソースである場合、候補ＰＵＣＣＨリソースを目標ＰＵＣＣＨリソースとして決定し、また、
１つ又は複数の衝突グループのＣＳＩ報告の負荷と第２ＣＳＩ報告の負荷の合計が、候補ＰＵＣＣＨリソースが目標符号化率を満たすうえで伝送可能な容量より大きい、且つ、候補ＰＵＣＣＨリソースがコンポーネントキャリアの最大容量の候補ＰＵＣＣＨリソースではない場合、１つ又は複数の衝突グループと第２ＣＳＩ報告に基づいて、目標ＰＵＣＣＨリソースを決定する。
ここで、ネットワーク機器は、一つ又は複数の衝突グループのＣＳＩ報告の負荷及び第２ＣＳＩ報告の負荷を決定することができる。
【００９１】
図６に示す実施例における各方法のステップの具体的な実現は、図１に示す実施例における端末機器が実行する対応する方法を参考できるため、その説明を省略する。
【００９２】
本開示の実施例において、上述の技術案により、同じコンポーネントキャリアでのＣＳＩ報告のＰＵＣＣＨリソース競合の問題が解決され、ＣＳＩ報告の少なくとも一部に送信が提供される。
【００９３】
図７は本開示の一実施例によるＣＳＩ報告の伝送方法のフローチャートである。この方法は、ネットワーク機器に適用され、方法は、ステップＳ７１０〜Ｓ７３０を含む。
【００９４】
Ｓ７１０：コンポーネントキャリアのＰＵＣＣＨリソースで送信される必要がある１つ又は複数の衝突グループに基づいて、目標ＰＵＣＣＨリソースを決定する。
【００９５】
ここで、目標ＰＵＣＣＨリソースは、１つ又は複数の衝突グループにおけるＣＳＩ報告を配置するために用いられる。衝突グループの任意の１つのＣＳＩ報告は、衝突グループにおける少なくとも１つのＣＳＩ報告と衝突し、且つ、衝突グループ以外の任意の１つのＣＳＩ報告と衝突しない。
【００９６】
コンポーネントキャリアの１つのＰＵＣＣＨリソースを使用するために１つのＣＳＩ報告が割り当てられることが理解されるべきである。ＣＳＩ報告に用いられるＰＵＣＣＨリソースとコンポーネントキャリアの両方は、ネットワーク機器（例えば、基地局など）によって割り当てることができる。
【００９７】
Ｓ７２０：１つ又は複数の衝突グループのＣＳＩ報告の優先度がいずれも目標ＣＳＩ報告より低い場合、１つ又は複数の衝突グループのＣＳＩ報告を破棄すると決定する。
【００９８】
ここで、目標ＣＳＩ報告は１つ又は複数の衝突グループのＣＳＩ報告と衝突せず、目標ＰＵＣＣＨリソースは目標ＣＳＩ報告と衝突する。
【００９９】
Ｓ７３０：コンポーネントキャリアにおける、目標ＣＳＩ報告に対応するＰＵＣＣＨリソースにおいて、目標ＣＳＩ報告を受信する。
【０１００】
本開示の実施例において、衝突グループを配置するためのＰＵＣＣＨリソースが目標ＣＳＩ報告と衝突し、且つ、衝突グループのＣＳＩ報告の優先度がいずれも目標ＣＳＩ報告の優先度より低い場合に、衝突グループのＣＳＩ報告を廃棄することによって、一部のシナリオで優先度の高いＣＳＩ報告に送信が提供される。
【０１０１】
図７に示す実施例の具体的な実現は、図５に示す実施例を参照することができ、その説明は省略する。
【０１０２】
図８は本開示の一実施例による端末機器の構成を示す図である。図８に示すように、端末機器８００は、
コンポーネントキャリアのＰＵＣＣＨリソースで送信される必要がある１つ又は複数の衝突グループに基づいて、目標ＰＵＣＣＨリソースを決定し、目標ＰＵＣＣＨリソースが、１つ又は複数の衝突グループにおけるＣＳＩ報告を配置するために用いられ、衝突グループは少なくとも２つのＣＳＩ報告を含み、衝突グループの任意の１つのＣＳＩ報告が、衝突グループにおける少なくとも１つのＣＳＩ報告と衝突し、且つ、前記衝突グループ以外の任意の１つのＣＳＩ報告と衝突しない決定モジュール８１０と、
目標ＰＵＣＣＨリソースに配置されようとするＣＳＩ報告セットの負荷は、目標ＰＵＣＣＨリソースが目標符号化率を満たすうえで伝送可能な容量より大きい場合、ＣＳＩ報告の優先度に基づいて、ＣＳＩ報告セットのうちの一部のＣＳＩ報告を目標ＰＵＣＣＨリソースに配置し、又は、ＣＳＩ報告セットの負荷は、目標ＰＵＣＣＨリソースが目標符号化率を満たすうえで伝送可能な容量以下である場合、ＣＳＩ報告セットのうちの全部のＣＳＩ報告を目標ＰＵＣＣＨリソースに配置する配置モジュール８２０と、
配置されたＣＳＩ報告を目標ＰＵＣＣＨリソースにおいて送信する送信モジュール８３０と、を含む。
【０１０３】
ここで、前記ＣＳＩ報告セットは、前記１つ又は複数の衝突グループのＣＳＩ報告を少なくとも含む。
【０１０４】
端末機器８００はまた、図１に示す実施例における端末機器が実行する方法のステップを実現できるため、その説明を省略する。
【０１０５】
図９は本開示の一実施例による端末機器の構成を示す図である。図９に示すように、端末機器９００は、
コンポーネントキャリアのＰＵＣＣＨリソースで送信される必要がある１つ又は複数の衝突グループに基づいて、目標ＰＵＣＣＨリソースを決定し、目標ＰＵＣＣＨリソースが、１つ又は複数の衝突グループにおけるＣＳＩ報告を配置するために用いられ、衝突グループの任意の１つのＣＳＩ報告が、衝突グループにおける他の少なくとも１つのＣＳＩ報告と衝突し、且つ、衝突グループ以外の任意の１つのＣＳＩ報告と衝突しない決定モジュール９１０と、
１つ又は複数の衝突グループのＣＳＩ報告の優先度がいずれも目標ＣＳＩ報告より低い場合、１つ又は複数の衝突グループのＣＳＩ報告を破棄し、目標ＣＳＩ報告が、１つ又は複数の衝突グループのＣＳＩ報告と衝突せず、目標ＰＵＣＣＨリソースが、目標ＣＳＩ報告と衝突する処理モジュール９２０と、
コンポーネントキャリアにおける、目標ＣＳＩ報告に対応するＰＵＣＣＨリソースにおいて、目標ＣＳＩ報告を送信する送信モジュール９３０と、を含む。
【０１０６】
端末機器９００はまた、図５に示す実施例における端末機器が実行する方法のステップを実現できるため、その説明を省略する。
【０１０７】
図１０は本開示の一実施例によるネットワーク機器の構成を示す図である。図１０に示すように、ネットワーク機器１０００は、
コンポーネントキャリアのＰＵＣＣＨリソースで送信される必要がある１つ又は複数の衝突グループに基づいて、１つ又は複数の目標ＰＵＣＣＨリソースを決定し、１つ又は複数の目標ＰＵＣＣＨリソースが、１つ又は複数の衝突グループにおけるＣＳＩ報告を配置するために用いられ、衝突グループは少なくとも２つのＣＳＩ報告を含み、任意の１つのＣＳＩ報告が、衝突グループにおける他の少なくとも１つのＣＳＩ報告と衝突し、且つ、衝突グループ以外の任意の１つのＣＳＩ報告と衝突しない決定モジュール１０１０と、
決定された１つ又は複数の目標ＰＵＣＣＨリソースでＣＳＩ報告を受信する受信モジュール１０２０と、を含む。
【０１０８】
ネットワーク機器１０００はまた、図６に示す実施例におけるネットワーク機器が実行する方法のステップを実現できるため、その説明を省略する。
【０１０９】
図１１は本開示の一実施例によるネットワーク機器の構成を示す図である。図１１に示すように、ネットワーク機器１１００は、
コンポーネントキャリアのＰＵＣＣＨリソースで送信される必要がある１つ又は複数の衝突グループに基づいて、目標ＰＵＣＣＨリソースを決定し、目標ＰＵＣＣＨリソースが、１つ又は複数の衝突グループにおけるＣＳＩ報告を配置するために用いられ、衝突グループの任意の１つのＣＳＩ報告が、衝突グループにおける少なくとも１つのＣＳＩ報告と衝突し、且つ、衝突グループ以外の任意の１つのＣＳＩ報告と衝突しない第１決定モジュール１１１０と、
１つ又は複数の衝突グループのＣＳＩ報告の優先度がいずれも目標ＣＳＩ報告より低い場合、１つ又は複数の衝突グループのＣＳＩ報告の破棄を決定し、目標ＣＳＩ報告が、１つ又は複数の衝突グループのＣＳＩ報告と衝突せず、目標ＰＵＣＣＨリソースが、目標ＣＳＩ報告と衝突する第２決定モジュール１１２０と、
コンポーネントキャリアにおける、目標ＣＳＩ報告に対応するＰＵＣＣＨリソースにおいて、目標ＣＳＩ報告を受信する受信モジュール１１３０と、を含む。
【０１１０】
ネットワーク機器１１００はまた、図７に示す実施例におけるネットワーク機器が実行する方法のステップを実現できるため、その説明を省略する。
【０１１１】
図１２は本開示の別の一実施例による端末機器のブロック図である。図１２に示す端末機器１２００は、少なくとも１つのプロセッサ１２０１と、メモリ１２０２と、少なくとも１つのネットワークインターフェース１２０４と、ユーザインターフェース１２０３とを含む。端末機器１２００における様々な構成要素は、バスシステム１２０５によって互いに結合される。バスシステム１２０５は、これらの構成要素間の接続通信を可能にするために用いられることを理解されたい。バスシステム１２０５は、データバスの他に、電力バス、制御バス、ステータス信号バスを含む。しかし、様々なバスは、明瞭にするために、図１２ではバスシステム１２０５として示される。
【０１１２】
ここで、ユーザインターフェース１２０３は、ディスプレイ、キーボード又はポインティング機器（例えば、マウス、トラックボール（ｔｒａｃｋｂａｌｌ）、タッチパッド又はタッチスクリーンなど）を含んでもよい。
【０１１３】
本開示の実施例におけるメモリ１２０２は、揮発性メモリ又は不揮発性メモリであってもよく、あるいは、揮発性メモリ及び不揮発性メモリの両方を含んでもよいことを理解されたい。ここで、不揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ    ＥＰＲＯＭ）、又はフラッシュメモリであってもよい。揮発性メモリは、ＲＡＭ（  Ｒａｎｄｏｍ  Ａｃｃｅｓｓ  Ｍｅｍｏｒｙ）であってもよく、外部キャッシュとして用いられる。例示的なものにすぎず、限定的なものではないが、揮発性メモリは、多くの形態のＲＡＭ、例えば、ＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、及びＤＲＲＡＭ（Ｄｉｒｅｃｔ  Ｒａｍｂｕｓ  ＲＡＭ）が利用可能である。本開示の実施例で説明されるシステム及び方法のメモリ１２０２は、これら及び任意の他の適切なタイプのメモリを含むことが意図されるが、これらに限定されない。
【０１１４】
いくつかの実施例において、メモリ１２０２は、実行可能モジュール又はデータ構造、又はそれらのサブセット、又はそれらの拡張セット、即ち、オペレーティングシステム１２０２１及びアプリケーションプログラム１２０２２のような要素を記憶する。
【０１１５】
ここで、様々な基本的なサービスを実現し、また、ハードウェアベースのタスクを処理するように、オペレーティングシステム１２０２１は、例えば、フレームワーク層、コアライブラリ層、ドライバ層などの様々なシステムプログラムを含む。様々なアプリケーションサービスを実現するように、アプリケーションプログラム１２０２２は、例えば、メディアプレーヤ（Ｍｅｄｉａ  Ｐｌａｙｅｒ）、ブラウザ（Ｂｒｏｗｓｅｒ）などの様々なアプリケーションプログラムを含む。本開示の実施例の方法を実現するためのプログラムは、アプリケーションプログラム１２０２２に含まれ得る。
【０１１６】
本開示の実施例において、端末機器１２００は、メモリ１２０２に記憶され、プロセッサ１２０１で実行可能なプログラムをさらに含み、プログラムは、プロセッサ１２０１によって実行されると、以下のステップ：
コンポーネントキャリアのＰＵＣＣＨリソースで送信される必要がある１つ又は複数の衝突グループに基づいて、目標ＰＵＣＣＨリソースを決定し、目標ＰＵＣＣＨリソースが、１つ又は複数の衝突グループにおけるＣＳＩ報告を配置するために用いられ、衝突グループは少なくとも２つのＣＳＩ報告を含み、衝突グループの任意の１つのＣＳＩ報告が、衝突グループにおける少なくとも１つのＣＳＩ報告と衝突し、且つ、衝突グループ以外の任意の１つのＣＳＩ報告と衝突しないステップと、
目標ＰＵＣＣＨリソースに配置されようとするＣＳＩ報告セットの負荷は、目標ＰＵＣＣＨリソースが目標符号化率を満たすうえで伝送可能な容量より大きい場合、ＣＳＩ報告の優先度に基づいて、ＣＳＩ報告セットのうちの一部のＣＳＩ報告を目標ＰＵＣＣＨリソースに配置するステップと、
ＣＳＩ報告セットの負荷は、目標ＰＵＣＣＨリソースが目標符号化率を満たすうえで伝送可能な容量以下である場合、ＣＳＩ報告セットのうちの全部のＣＳＩ報告を目標ＰＵＣＣＨリソースに配置するステップと、
配置されたＣＳＩ報告を目標ＰＵＣＣＨリソースにおいて送信するステップと、が実施される。
【０１１７】
ここで、ＣＳＩ報告セットは、１つ又は複数の衝突グループのＣＳＩ報告を少なくとも含む。
【０１１８】
本開示の実施例において、衝突が発生したＣＳＩ報告を処理することによって、その処理後に現在のコンポーネントキャリアには衝突が発生したＣＳＩ報告が存在しないことを理解されたい。言い換えると、衝突が発生したＣＳＩ報告を処理した後、現在のコンポーネントキャリアには衝突が発生したＣＳＩ報告が存在しない。１回の破棄処理後にも衝突が発生したＣＳＩ報告がある場合、ＣＳＩ報告の優先度に基づいて、破棄処理を継続する。
【０１１９】
本開示の実施例に開示された上記の方法は、プロセッサ１２０１に適用されてもよいし、プロセッサ１２０１によって実現されてもよい。プロセッサ１２０１は、信号の処理能力を有する集積回路チップであってもよい。実現プロセスにおいて、上記方法の各ステップは、プロセッサ１２０１におけるハードウェアの集積論理回路又はソフトウェアの形態の命令によって達成され得る。上述したプロセッサ１２０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又は別のプログラマブル論理デバイス、ディスクリートゲート又はトランジスタロジック、ディスクリートハードウェア部品、などであってよい。本開示の実施例に開示された各方法、ステップ、及び論理ブロック図は、実現又は実行され得る。汎用プロセッサは、マイクロプロセッサであってもよいし、任意の従来のプロセッサなどであってもよい。本開示の実施例と組み合わせて開示される方法のステップは、ハードウェア復号化プロセッサによって実行されることによって直接的に具現化されてもよく、又は復号化プロセッサにおけるハードウェアとソフトウェアモジュールの組み合わせによって実行されてもよい。ソフトウェアモジュールは、ランダムアクセスメモリ、フラッシュメモリ、読み出し専用メモリ、プログラマブル読み出し専用メモリ、又は電気的消去可能プログラマブルメモリ、レジスタなどの当技術分野で周知のコンピュータ可読記憶媒体に配置され得る。コンピュータ可読記憶媒体はメモリ１２０２に配置され、プロセッサ１２０１は、メモリ１２０２における情報を読み取り、そのハードウェアと組み合わせて上記の方法のステップを完了する。具体的には、コンピュータ可読記憶媒体はプログラムを記憶し、プログラムがプロセッサ１２０１によって実行されると、上記の図１に示すような方法の実施例の各ステップが実現される。
【０１２０】
本開示の実施例に記載されたこれらの実施例は、ハードウェア、ソフトウェア、ファームウェア、ミドルウェア、マイクロコード、又はそれらの組み合わせによって実現されてもよいことを理解されたい。ハードウェア実現の場合、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本開示に記載される機能を実行するための他の電子ユニット又はそれらの組み合わせにおいて実現され得る。
【０１２１】
ソフトウェアの実現について、本開示の実施例に記載された技術は、本開示の実施形態に記載された機能を実行するモジュール（例えば、プロセス、関数など）によって実現されてもよい。ソフトウェアコードは、メモリに記憶され、プロセッサによって実行され得る。メモリは、プロセッサ内に実現されてもよいし、プロセッサ外部で実現されてもよい。
【０１２２】
端末機器１２００は、前述した図１に示すような実施例における端末機器により実現される各プロセスを実現することができ、繰り返しを避けるため、ここではその説明を省略する。
【０１２３】
本開示の実施形例は、コンピュータ可読記憶媒体をさらに提供し、コンピュータ可読記憶媒体はプログラムを記憶し、プログラムがプロセッサによって実行されると、上記の図１に示すような方法の実施例の各プロセスが実現され、且つ、同じ技術的効果を達成することができる。繰り返しを避けるため、ここではその説明を省略する。ここで、前記のコンピュータ可読記憶媒体としては、例えば、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク、又は光ディスクなどが挙げられる。
【０１２４】
図１３は本開示の別の一実施例による端末機器のブロック図である。図１３に示す端末機器１３００は、少なくとも１つのプロセッサ１３０１と、メモリ１３０２と、少なくとも１つのネットワークインターフェース１３０４と、ユーザインターフェース１３０３とを含む。端末機器１３００における様々な構成要素は、バスシステム１３０５によって互いに結合される。バスシステム１３０５は、これらの構成要素間の接続通信を可能にするために用いられることを理解されたい。バスシステム１３０５は、データバスの他に、電力バス、制御バス、ステータス信号バスを含む。しかし、様々なバスは、明瞭にするために、図１３ではバスシステム１３０５として示される。
【０１２５】
ここで、ユーザインターフェース１３０３は、ディスプレイ、キーボード又はポインティング機器（例えば、マウス、トラックボール（ｔｒａｃｋｂａｌｌ）、タッチパッド又はタッチスクリーンなど）を含んでもよい。
【０１２６】
本開示の実施例におけるメモリ１３０２は、揮発性メモリ又は不揮発性メモリであってもよく、あるいは、揮発性メモリ及び不揮発性メモリの両方を含んでもよいことを理解されたい。ここで、不揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰＲＯＭ）、又はフラッシュメモリであってもよい。揮発性メモリは、ＲＡＭ（  Ｒａｎｄｏｍ  Ａｃｃｅｓｓ  Ｍｅｍｏｒｙ）であってもよく、外部キャッシュとして用いられる。例示的なものにすぎず、限定的なものではないが、揮発性メモリは、多くの形態のＲＡＭ、例えば、ＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、及びＤＲＲＡＭ（Ｄｉｒｅｃｔ  Ｒａｍｂｕｓ  ＲＡＭ）が利用可能である。本開示の実施例で説明されるシステム及び方法のメモリ１３０２は、これら及び任意の他の適切なタイプのメモリを含むことが意図されるが、これらに限定されない。
【０１２７】
いくつかの実施例において、メモリ１３０２は、実行可能モジュール又はデータ構造、又はそれらのサブセット、又はそれらの拡張セット、即ち、オペレーティングシステム１３０２１及びアプリケーションプログラム１３０２２のような要素を記憶する。
【０１２８】
ここで、様々な基本的なサービスを実現し、また、ハードウェアベースのタスクを処理するように、オペレーティングシステム１３０２１は、例えば、フレームワーク層、コアライブラリ層、ドライバ層などの様々なシステムプログラムを含む。様々なアプリケーションサービスを実現するように、アプリケーションプログラム１３０２２は、例えば、メディアプレーヤ（Ｍｅｄｉａ  Ｐｌａｙｅｒ）、ブラウザ（Ｂｒｏｗｓｅｒ）などの様々なアプリケーションプログラムを含む。本開示の実施例の方法を実現するためのプログラムは、アプリケーションプログラム１３０２２に含まれ得る。
【０１２９】
本開示の実施例において、端末機器１３００は、メモリ１３０２に記憶され、プロセッサ１３０１で実行可能なプログラムをさらに含み、プログラムは、プロセッサ１３０１によって実行されると、以下のステップ：
コンポーネントキャリアのＰＵＣＣＨリソースで送信される必要がある１つ又は複数の衝突グループに基づいて、目標ＰＵＣＣＨリソースを決定し、目標ＰＵＣＣＨリソースが、１つ又は複数の衝突グループにおけるＣＳＩ報告を配置するために用いられ、衝突グループの任意の１つのＣＳＩ報告が、衝突グループにおけるの他の少なくとも１つのＣＳＩ報告と衝突し、且つ、衝突グループ以外の任意の１つのＣＳＩ報告と衝突しないステップと、
１つ又は複数の衝突グループのＣＳＩ報告の優先度がいずれも目標ＣＳＩ報告より低い場合、１つ又は複数の衝突グループのＣＳＩ報告を破棄し、目標ＣＳＩ報告が、１つ又は複数の衝突グループのＣＳＩ報告と衝突せず、目標ＰＵＣＣＨリソースが、目標ＣＳＩ報告と衝突するステップと、  
コンポーネントキャリアにおける、目標ＣＳＩ報告に対応するＰＵＣＣＨリソースにおいて、目標ＣＳＩ報告を送信するステップと、が実施される。  
【０１３０】
本開示の実施例において、衝突が発生したＣＳＩ報告を処理することによって、その処理後に現在のコンポーネントキャリアには衝突が発生したＣＳＩ報告が存在しないことを理解されたい。言い換えると、衝突が発生したＣＳＩ報告を処理した後、現在のコンポーネントキャリアには衝突が発生したＣＳＩ報告が存在しない。１回の破棄処理後にも衝突が発生したＣＳＩ報告がある場合、ＣＳＩ報告の優先度に基づいて、破棄処理を継続する。
【０１３１】
本開示の実施例に開示された上記の方法は、プロセッサ１３０１に適用されてもよいし、プロセッサ１３０１によって実現されてもよい。プロセッサ１３０１は、信号の処理能力を有する集積回路チップであってもよい。実現プロセスにおいて、上記方法の各ステップは、プロセッサ１３０１におけるハードウェアの集積論理回路又はソフトウェアの形態の命令によって達成され得る。上述したプロセッサ１３０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又は別のプログラマブル論理デバイス、ディスクリートゲート又はトランジスタロジック、ディスクリートハードウェア部品、などであってもよい。本開示の実施例に開示された各方法、ステップ、及び論理ブロック図は、実現又は実行され得る。汎用プロセッサは、マイクロプロセッサであってもよいし、又はプロセッサは、任意の従来のプロセッサなどであってもよい。本開示の実施例と組み合わせて開示される方法のステップは、ハードウェア復号化プロセッサによって実行されることによって直接的に具現化されてもよく、又は復号化プロセッサにおけるハードウェアとソフトウェアモジュールの組み合わせによって実行される。ソフトウェアモジュールは、ランダムアクセスメモリ、フラッシュメモリ、読み出し専用メモリ、プログラマブル読み出し専用メモリ、又は電気的消去可能プログラマブルメモリ、レジスタなどの当技術分野で周知のコンピュータ可読記憶媒体に配置され得る。コンピュータ可読記憶媒体はメモリ１３０２に配置され、プロセッサ１３０１は、メモリ１３０２における情報を読み取り、そのハードウェアと組み合わせて上記の方法のステップを完了する。具体的には、コンピュータ可読記憶媒体はプログラムを記憶し、プログラムがプロセッサ１３０１によって実行されると、上記の図５に示すような方法の実施例の各ステップが実現される。
【０１３２】
本開示の実施例に記載されたこれらの実施例は、ハードウェア、ソフトウェア、ファームウェア、ミドルウェア、マイクロコード、又はそれらの組み合わせによって実現されてもよいことを理解されたい。ハードウェア実現の場合、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本開示に記載される機能を実行するための他の電子ユニット又はそれらの組み合わせにおいて実現され得る。
【０１３３】
ソフトウェアの実現について、本開示の実施例に記載された技術は、本開示の実施形態に記載された機能を実行するモジュール（例えば、プロセス、関数など）によって実現されてもよい。ソフトウェアコードは、メモリに記憶され、プロセッサによって実行され得る。メモリは、プロセッサ内に実現されてもよいし、プロセッサ以外部に実現されてもよい。
【０１３４】
端末機器１３００は、前述した図５に示すような実施例における端末機器により実現される各プロセスを実現することができる。繰り返しを避けるため、ここではその説明を省略する。
【０１３５】
本開示の実施例は、コンピュータ可読記憶媒体をさらに提供し、コンピュータ可読記憶媒体はプログラムを記憶し、プログラムがプロセッサによって実行されると、上記の図５に示すような方法の実施例の各プロセスが実現され、且つ、同じ技術的効果を達成することができる。繰り返しを避けるため、ここではその説明を省略する。ここで、前記のコンピュータ可読記憶媒体としては、例えば、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク、又は光ディスクなどが挙げられる。
【０１３６】
図１４を参照すると、図１４は、本開示の実施例が適用するネットワーク機器のブロック図であり、図６に示すような実施例の詳細を実現し、同じ効果を達成することができる。図１４に示すように、ネットワーク機器１４００は、プロセッサ１４０１、送受信機１４０２、メモリ１４０３、ユーザインターフェース１４０４、及びバスインターフェースを含み、ここで：
本開示の実施例において、ネットワーク機器１４００は、メモリ１４０３に記憶され、プロセッサ１４０１で実行可能なプログラムをさらに含み、プログラムは、プロセッサ１４０１によって実行されると、以下のステップ：
コンポーネントキャリアのＰＵＣＣＨリソースで送信される必要がある１つ又は複数の衝突グループに基づいて、１つ又は複数の目標ＰＵＣＣＨリソースを決定し、１つ又は複数の目標ＰＵＣＣＨリソースが、１つ又は複数の衝突グループにおけるＣＳＩ報告を配置するために用いられ、衝突グループは少なくとも２つのＣＳＩ報告を含み、任意の１つのＣＳＩ報告が、衝突グループにおける他の少なくとも１つのＣＳＩ報告と衝突し、且つ、衝突グループ以外の任意の１つのＣＳＩ報告と衝突しないステップと、
決定された１つ又は複数の目標ＰＵＣＣＨリソースでＣＳＩ報告を受信するステップと、が実施される。
【０１３７】
コンポーネントキャリアの１つのＰＵＣＣＨリソースを使用するために１つのＣＳＩ報告が割り当てられることが理解されるべきである。ＣＳＩ報告に用いられるＰＵＣＣＨリソースとコンポーネントキャリアの両方は、ネットワーク機器（例えば、基地局など）によって割り当てることができる。
【０１３８】
図１４において、バスアーキテクチャは、任意の数の相互接続されたバス及びブリッジを含むことができ、具体的には、プロセッサ１４０１によって表される１つ又は複数のプロセッサと、メモリ１４０３によって表されるメモリの様々な回路とが互いにリンクされる。バスアーキテクチャはまた、周辺機器、電圧レギュレータ、及び電力管理回路などの様々な他の回路を互いにリンクすることができ、それらは当技術分野においてよく知られているため、本明細書ではこれ以上説明しない。バスインターフェースはインターフェースを提供する。送受信機１４０２は、複数の要素であってもよいし、即ち、送信機及び受信機を含み、伝送媒体を介して様々な他の装置と通信するための手段を提供する。異なるユーザ機器に対して、ユーザインターフェース１４０４は、必要な機器と外部及び内部で接続することができるインターフェースであってもよく、接続される機器には、キーパッド、ディスプレイ、スピーカー、マイク、ジョイスティックなどが含まれるが、これらに限定されない。
【０１３９】
プロセッサ１４０１は、バスアーキテクチャの管理と通常の処理を担当し、メモリ１４０３は、プロセッサ１４０１が動作を実行する時に使用するデータを記憶することができる。
【０１４０】
ネットワーク機器１４００は、前述した図６に示すような実施例におけるネットワーク機器により実現される各プロセスを実現することができる。繰り返しを避けるため、ここではその説明を省略する。
【０１４１】
本開示の実施例はまた、コンピュータ可読記憶媒体を提供し、コンピュータ可読記憶媒体はプログラムを記憶し、プログラムがプロセッサによって実行されると、上記の図６に示すような方法の実施例の各プロセスが実現され、且つ、同じ技術的効果を達成することができる。繰り返しを避けるため、ここではその説明を省略する。ここで、前記のコンピュータ可読記憶媒体としては、例えば、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク、又は光ディスクなどが挙げられる。
【０１４２】
図１５を参照すると、図１５は、本開示の実施例が適用するネットワーク機器のブロック図であり、図７に示すような実施例の方法の詳細を実現し、同じ効果を達成することができる。図１５に示すように、ネットワーク機器１５００は、プロセッサ１５０１、送受信機１５０２、メモリ１５０３、ユーザインターフェース１５０４、及びバスインターフェースを含み、ここで：
本開示の実施例において、ネットワーク機器１５００は、メモリ１５０３に記憶され、プロセッサ１５０１で実行可能なプログラムをさらに含み、プログラムは、プロセッサ１５０１によって実行されると、以下のステップ：
コンポーネントキャリアのＰＵＣＣＨリソースで送信される必要がある１つ又は複数の衝突グループに基づいて、目標ＰＵＣＣＨリソースを決定し、目標ＰＵＣＣＨリソースが、１つ又は複数の衝突グループにおけるＣＳＩ報告を配置するために用いられ、衝突グループの任意の１つのＣＳＩ報告が、衝突グループにおける少なくとも１つのＣＳＩ報告と衝突し、且つ、衝突グループ以外の任意の１つのＣＳＩ報告と衝突しないステップと、
１つ又は複数の衝突グループのＣＳＩ報告の優先度がいずれも目標ＣＳＩ報告より低い場合、１つ又は複数の衝突グループのＣＳＩ報告の破棄を決定し、目標ＣＳＩ報告が、１つ又は複数の衝突グループのＣＳＩ報告と衝突せず、目標ＰＵＣＣＨリソースが、目標ＣＳＩ報告と衝突するステップと、
コンポーネントキャリアにおける、目標ＣＳＩ報告に対応するＰＵＣＣＨリソースにおいて、目標ＣＳＩ報告を受信するステップと、が実施される。
【０１４３】
コンポーネントキャリアの１つのＰＵＣＣＨリソースを使用するために１つのＣＳＩ報告が割り当てられることが理解されるべきである。ＣＳＩ報告に用いられるＰＵＣＣＨリソースとコンポーネントキャリアの両方は、ネットワーク機器（例えば、基地局など）によって割り当てることができる。
【０１４４】
図１５において、バスアーキテクチャは、任意の数の相互接続されたバス及びブリッジを含むことができる。具体的には、プロセッサ１５０１によって表される１つ又は複数のプロセッサと、メモリ１５０３によって表されるメモリの様々な回路とが互いにリンクされる。バスアーキテクチャはまた、周辺機器、電圧レギュレータ、及び電力管理回路などの様々な他の回路を互いにリンクすることができる。それらは当技術分野においてよく知られているため、本明細書ではこれ以上説明しない。バスインターフェースはインターフェースを提供する。送受信機１５０２は、複数の要素であってもよく、送信機及び受信機を含み、伝送媒体を介して様々な他の装置と通信するための手段を提供する。異なるユーザ機器に対して、ユーザインターフェース１５０４は、必要な機器と外部及び内部で接続することができるインターフェースであってもよく、接続される機器には、キーパッド、ディスプレイ、スピーカー、マイク、ジョイスティックなどが含まれるが、これらに限定されない。
【０１４５】
プロセッサ１５０１は、バスアーキテクチャの管理と通常の処理を担当し、メモリ１５０３は、プロセッサ１５０１が動作を実行する時に使用するデータを記憶することができる。
【０１４６】
ネットワーク機器１５００は、前述した図７に示すような実施例におけるネットワーク機器により実現される各プロセスを実現することができる。繰り返しを避けるため、ここではその説明を省略する。
【０１４７】
本開示の実施形例はまた、コンピュータ可読記憶媒体を提供し、コンピュータ可読記憶媒体はプログラムを記憶し、プログラムがプロセッサによって実行されると、上記の図７に示すような方法の実施例の各プロセスが実現され、且つ、同じ技術的効果を達成することができる。繰り返しを避けるため、ここではその説明を省略する。ここで、前記のコンピュータ可読記憶媒体としては、例えば、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク、又は光ディスクなどが挙げられる。
【０１４８】
本開示のいくつかの実施形態において、非周期的チャネル状態情報（Ａｐｅｒｉｏｄｉｃ  Ｃｈａｎｎｅｌ  Ｓｔａｔｅ  Ｉｎｆｏｒｍａｔｉｏｎ、Ａ−ＣＳＩ）要求のみがダウンリンク制御情報（Ｄｏｗｎｌｉｎｋ  Ｃｏｎｔｒｏｌ  Ｉｎｆｏｒｍａｔｉｏｎ、  ＤＣＩ）に含まれる場合に、Ａ−ＣＳＩ報告送信のスロットオフセットＹをどのように指示するかという方法が提供される。
【０１４９】
方法１：
ＤＣＩ  ｆｏｒｍａｔ  ０＿１メッセージを送信する。ＤＣＩ  ｆｏｒｍａｔ  ０＿１メッセージには、新たにフィールドが含まれるか、又はＤＣＩ  ｆｏｒｍａｔ  ０＿１メッセージにおける従来の無効フィールドの意味を変更する。新たに追加されたフィールド又は意味を変更されたフィールドは、Ａ−ＣＳＩ報告送信のスロットオフセットＹを指示するために用いられる。
【０１５０】
具体的には、既存のＤＣＩ  ｆｏｒｍａｔ  ０＿１に新たにフィールドを追加し、新たに追加されたフィールドの値は、Ａ−ＣＳＩ報告送信のスロットオフセットＹを指示するために用いられる。又は、Ａ−ＣＳＩ報告送信のみがＤＣＩに含まれる場合に、ＤＣＩ  ｆｏｒｍａｔ  ０＿１メッセージにおける従来の無効フィールドの意味を変更して有効フィールドとする。Ａ−ＣＳＩ報告が使用するＰＵＳＣＨのスロットオフセット、マッピングタイプ、スタートシンボル、及び長さ指示（ＳＬＩＶ）などの情報は、フィールドを新たに追加するか、無効フィールドに対して意味を有効フィールドに変更する方法によって柔軟に配置できる。
【０１５１】
例えば、新たに追加されたフィールドの値は、表１に示すような無線リソース制御（Ｒａｄｉｏ  Ｒｅｓｏｕｒｃｅ  Ｃｏｎｔｒｏｌ，ＲＲＣ）により配置された報告スロットオフセットリスト（Ｒｅｐｏｒｔ  Ｓｌｏｔ  Ｏｆｆｓｅｔ  Ｌｉｓｔ）における番号に対応する。例えば、新たに追加されたフィールドの値が２である場合、Ａ−ＣＳＩ報告送信のスロットオフセットＹはＹ２であると決定され得る。表１のＹｎの値は０〜７の整数であり、ｎは１、２、…１６である。
【０１５２】
【表１】
2021517783.tif 000004
【０１５３】
又は、新たに追加されたフィールドの値は、表２に示すようなＲＲＣにより配置されるｐｕｓｃｈ−Ａｌｌｏｃａｔｉｏｎ  Ｌｉｓｔにおける番号に対応し、表２のＫｎの値は０〜７の整数であり、ｎは１、２、…１６である。例えば、新たに追加されたフィールドの値が６である場合、Ａ−ＣＳＩ報告送信のスロットオフセットＹはＫ６であると決定され得る。さらに、ＰＵＳＣＨのマッピングタイプ（Ｍａｐｐｉｎｇ  Ｔｙｐｅ）、スタートシンボル及び長さ指示（ＳＬＩＶ）などの情報を取得でき、これにより、表３に示すようなＡ−ＣＳＩ報告を送信するための時間領域構成を取得することができる。
【０１５４】
【表２】
2021517783.tif 000005
【０１５５】
【表３】
2021517783.tif 000006
【０１５６】
方法２：
ＤＣＩ  ｆｏｒｍａｔ  ０＿１メッセージを送信する。ＤＣＩ  ｆｏｒｍａｔ  ０＿１メッセージにおける時間領域リソース設定フィールドはまた、Ａ−ＣＳＩ報告送信のスロットオフセットＹを指示するために用いられる。
【０１５７】
具体的には、ＤＣＩ  ｆｏｒｍａｔ  ０＿１における時間領域リソース構成（Ｔｉｍｅ  Ｄｏｍａｉｎ  Ｒｅｓｏｕｒｃｅ  Ａｓｓｉｇｎｍｅｎｔ）フィールドを多重化することにより、Ｔｉｍｅ  Ｄｏｍａｉｎ  Ｒｅｓｏｕｒｃｅ  Ａｓｓｉｇｎｍｅｎｔフィールドの値は、Ａ−ＣＳＩ報告送信のスロットオフセットＹを指示する。Ｔｉｍｅ  Ｄｏｍａｉｎ  Ｒｅｓｏｕｒｃｅ  Ａｓｓｉｇｎｍｅｎｔフィールドを多重化する方法は、シグナリングオーバーヘッドを増加させることなく、Ａ−ＣＳＩ報告が使用するＰＵＳＣＨのスロットオフセット、及びマッピングタイプ、スタートシンボルと長さ指示（ＳＬＩＶ）などの情報を配置できる。
【０１５８】
例えば、Ｔｉｍｅ  Ｄｏｍａｉｎ  Ｒｅｓｏｕｒｃｅ  Ａｓｓｉｇｎｍｅｎｔフィールドの値は、表１における番号に対応する。又は、Ｔｉｍｅ  Ｄｏｍａｉｎ  Ｒｅｓｏｕｒｃｅ  Ａｓｓｉｇｎｍｅｎｔフィールドの値は、表２における番号に対応する。例えば、Ｔｉｍｅ  Ｄｏｍａｉｎ  Ｒｅｓｏｕｒｃｅ  Ａｓｓｉｇｎｍｅｎｔフィールドの値が９である場合、表２によって表４に示すようなＡ−ＣＳＩ報告を送信するための時間領域構成を取得することができる。  
【０１５９】
【表４】
2021517783.tif 000007
【０１６０】
本開示の別のいくつかの実施例において、チャネル品質指標（Ｃｈａｎｎｅｌ  Ｑｕａｌｉｔｙ  Ｉｎｄｉｃａｔｏｒ、ＣＱＩ）の数を決定するための方法も提供される。具体的には、ＲＲＣパラメータｎｒｏｆＣＱＩｓＰｅｒＲｅｐｏｒｔの値に応じてＣＱＩの数が決定される。
例えば、ＲＲＣパラメータｎｒｏｆＣＱＩｓＰｅｒＲｅｐｏｒｔ  ＝  １の場合、ＣＳＩ報告のＲＩの値（１〜８）に関係なく、ＣＱＩの数は１と決定される。ＣＱＩを計算して報告するとき、全てのレイヤーの信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ，ＳＩＮＲ）を１つのコードワード（Ｃｏｄｅｗｏｒｄ）にマッピングして、この１つのＣＱＩ  （広帯域ＣＱＩ又はサブバンドＣＱＩ）を計算して報告することができる。あるいは、レイヤー１〜ｍｉｎ  ｛ＲＩ，４｝のＳＩＮＲを１つのＣｏｄｅｗｏｒｄにマッピングして、この１つのＣＱＩ（広帯域ＣＱＩ又はサブバンドＣＱＩ）を計算して報告し、他のレイヤーは報告しない。
【０１６１】
又は、ＲＲＣパラメータｎｒｏｆＣＱＩｓＰｅｒＲｅｐｏｒｔ  ＝  １であり、且つ、端末機器のＣＳＩ報告のＲＩ制限が最大４である場合、ＣＱＩの数は１と決定される。ＣＱＩを計算して報告するとき、レイヤー１〜ＲＩを既存の規則に従ってレイヤーからコードワードへのマッピング方式を行って、この１つのＣＱＩを計算して報告する。
【０１６２】
又は、ＲＲＣパラメータｎｒｏｆＣＱＩｓＰｅｒＲｅｐｏｒｔ  ＝  ２の場合、既存の規則に従って、端末機器のＣＳＩ報告のＲＩにより、レイヤーからコードワードへのマッピング方式を決定し、ＣＱＩを計算して報告する。
【０１６３】
本明細書において、「備える」、「含む」又はそれらの任意の他の変形は、非排他的な包含を包含することを意図しており、その結果、一連の要素を含むプロセス、方法、品目、又は装置は、それらの要素だけでなく、明示的に列挙されていない他の要素も含み、又はそのようなプロセス、方法、物品、又は装置に固有の要素も含む。「・・・を含む」という語句によって定義される要素は、これ以上の限定がない限り、その要素を含むプロセス、方法、物品、又は装置における、さらなる同じ要素の存在を排除するものではない。
【０１６４】
以上の実施形態の説明により、当業者は、上記実施形態の方法が、ソフトウェアに、必要な汎用ハードウェアプラットフォームを加えた方式で実現でき、もちろん、ハードウェアによっても実現できるが、前者がより好ましい実施形態である場合が多いことを明確に理解することができる。このような理解に基づいて、本開示の技術案の本質的又は従来技術に貢献する部分をソフトウェア製品の形式で具現化することができ、コンピュータソフトウェア製品は、端末（携帯電話、コンピュータ、サーバ、空調機、又はネットワーク機器などであり得る）に本開示の様々な実施形態による方法を実行させるためのいくつかの命令を含む記憶媒体（ＲＯＭ／ＲＡＭ、磁気ディスク、光ディスクなど）に記憶される。
【０１６５】
以上、図面を参照しながら本開示の実施例について説明したが、本開示は上記の実施形態に限定されるものではなく、上記の実施形態は、単なる例示であって、制限的なものではない。当業者は、本開示の教示を受けて、本開示の趣旨及び特許請求の範囲から逸脱することなく、多くの形態を作ることができ、そのすべてが本開示の保護の範囲内にある。
【図１】
2021517783.tif 000008
【図２】
2021517783.tif 000009
【図３】
2021517783.tif 000010
【図４】
2021517783.tif 000011
【図５】
2021517783.tif 000012
【図６】
2021517783.tif 000013
【図７】
2021517783.tif 000014
【図８】
2021517783.tif 000015
【図９】
2021517783.tif 000016
【図１０】
2021517783.tif 000017
【図１１】
2021517783.tif 000018
【図１２】
2021517783.tif 000019
【図１３】
2021517783.tif 000020
【図１４】
2021517783.tif 000021
【図１５】
2021517783.tif 000022
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
端末機器に適用するチャネル状態情報ＣＳＩ報告の伝送方法であって、
コンポーネントキャリアの物理上り制御チャネルＰＵＣＣＨリソースで送信される必要がある１つ又は複数の衝突グループに基づいて、目標ＰＵＣＣＨリソースを決定するステップであって、前記目標ＰＵＣＣＨリソースが、前記１つ又は複数の衝突グループにおけるＣＳＩ報告を配置するために用いられ、前記衝突グループは少なくとも２つのＣＳＩ報告を含み、前記衝突グループの任意の１つのＣＳＩ報告が、前記衝突グループにおける少なくとも１つのＣＳＩ報告と衝突し、且つ、前記衝突グループ以外の任意の１つのＣＳＩ報告と衝突しないステップと、
前記目標ＰＵＣＣＨリソースに配置されようとするＣＳＩ報告セットの負荷は、前記目標ＰＵＣＣＨリソースが目標符号化率を満たすうえで伝送可能な容量より大きい場合、ＣＳＩ報告の優先度に基づいて、前記ＣＳＩ報告セットのうちの一部のＣＳＩ報告を前記目標ＰＵＣＣＨリソースに配置するステップと、
前記ＣＳＩ報告セットの負荷は、前記目標ＰＵＣＣＨリソースが目標符号化率を満たすうえで伝送可能な容量以下である場合、前記ＣＳＩ報告セットのうちの全部のＣＳＩ報告を前記目標ＰＵＣＣＨリソースに配置するステップと、
配置されたＣＳＩ報告を前記目標ＰＵＣＣＨリソースにおいて送信するステップと、を含み、
前記ＣＳＩ報告セットは、前記１つ又は複数の衝突グループのＣＳＩ報告を少なくとも含む、伝送方法。
【請求項２】
配置されたＣＳＩ報告を前記目標ＰＵＣＣＨリソースにおいて送信するとき、前記伝送方法は、
前記コンポーネントキャリアの第１ＣＳＩ報告用のＰＵＣＣＨリソースで第１ＣＳＩ報告を送信するステップであって、前記第１ＣＳＩ報告が、前記１つ又は複数の衝突グループと衝突せず、且つ、前記第１ＣＳＩ報告が、前記目標ＰＵＣＣＨリソースと衝突しないステップをさらに含む、請求項１に記載の伝送方法。
【請求項３】
前記ＣＳＩ報告セットは、第２ＣＳＩ報告をさらに含み、前記第２ＣＳＩ報告は前記コンポーネントキャリアの１つのＰＵＣＣＨリソースに配置され、前記第２ＣＳＩ報告が、前記１つ又は複数の衝突グループと衝突しない、請求項１に記載の伝送方法。
【請求項４】
配置されたＣＳＩ報告を前記目標ＰＵＣＣＨリソースにおいて送信する前に、前記伝送方法は、
第３ＣＳＩ報告を廃棄するステップであって、前記第３ＣＳＩ報告は前記コンポーネントキャリアの１つのＰＵＣＣＨリソースに配置され、前記第３ＣＳＩ報告が、前記１つ又は複数の衝突グループと衝突せず、且つ、前記第３ＣＳＩ報告が前記目標ＰＵＣＣＨリソースと衝突するステップをさらに含む、請求項１に記載の伝送方法。
【請求項５】
第３ＣＳＩ報告を廃棄するステップは、前記ＣＳＩ報告セットのうちの少なくとも１つのＣＳＩ報告の優先度が前記第３ＣＳＩ報告以上である場合、第３ＣＳＩ報告を破棄するステップを含む、請求項４に記載の伝送方法。
【請求項６】
コンポーネントキャリアのＰＵＣＣＨリソースで送信される必要がある１つ又は複数の衝突グループに基づいて、目標ＰＵＣＣＨリソースを決定するステップは、
前記１つ又は複数の衝突グループに基づいて、候補ＰＵＣＣＨリソースを決定するステップと、
前記１つ又は複数の衝突グループのＣＳＩ報告の負荷と第２ＣＳＩ報告の負荷の合計が、前記候補ＰＵＣＣＨリソースが目標符号化率を満たすうえで伝送可能な容量以下である場合、又は、前記候補ＰＵＣＣＨリソースが前記コンポーネントキャリアの最大容量の候補ＰＵＣＣＨリソースである場合、前記候補ＰＵＣＣＨリソースを前記目標ＰＵＣＣＨリソースとして決定するステップと、
前記１つ又は複数の衝突グループのＣＳＩ報告の負荷と第２ＣＳＩ報告の負荷の合計が、前記候補ＰＵＣＣＨリソースが目標符号化率を満たすうえで伝送可能な容量より大きく、且つ、前記候補ＰＵＣＣＨリソースが前記コンポーネントキャリアの最大容量の候補ＰＵＣＣＨリソースではない場合、前記１つ又は複数の衝突グループと前記第２ＣＳＩ報告に基づいて、前記目標ＰＵＣＣＨリソースを決定するするステップとを含む、請求項３に記載の伝送方法。
【請求項７】
ネットワーク機器に適用するチャネル状態情報ＣＳＩ報告の伝送方法であって、
コンポーネントキャリアの物理上り制御チャネルＰＵＣＣＨリソースで送信される必要がある１つ又は複数の衝突グループに基づいて、１つ又は複数の目標ＰＵＣＣＨリソースを決定するステップであって、前記１つ又は複数の目標ＰＵＣＣＨリソースが、前記１つ又は複数の衝突グループにおけるＣＳＩ報告を配置するために用いられ、前記衝突グループは少なくとも２つのＣＳＩ報告を含み、任意の１つのＣＳＩ報告が、前記衝突グループにおける他の少なくとも１つのＣＳＩ報告と衝突し、且つ、前記衝突グループ以外の任意の１つのＣＳＩ報告と衝突しないステップと、
前記決定された１つ又は複数の目標ＰＵＣＣＨリソースでＣＳＩ報告を受信するステップと、を含む、伝送方法。
【請求項８】
前記決定された１つ又は複数の目標ＰＵＣＣＨリソースでＣＳＩ報告を受信するとき、前記伝送方法は、
第１ＣＳＩ報告は、前記コンポーネントキャリアの第１ＣＳＩ報告用のＰＵＣＣＨリソースで受信され、前記第１ＣＳＩ報告が、前記１つ又は複数の衝突グループと衝突せず、且つ、前記第１ＣＳＩ報告が、前記目標ＰＵＣＣＨリソースと衝突しないステップをさらに含む、請求項７に記載の伝送方法。
【請求項９】
第２ＣＳＩ報告に割り当てられたＰＵＣＣＨリソースで前記第２ＣＳＩ報告を受信しないと決定するステップであって、前記第２ＣＳＩ報告が、前記１つ又は複数の衝突グループと衝突しないステップをさらに含む、請求項７に記載の伝送方法。  
【請求項１０】
第３ＣＳＩ報告が廃棄されると決定するステップであって、前記第３ＣＳＩ報告は前記コンポーネントキャリアの１つのＰＵＣＣＨリソースに配置され、前記第３ＣＳＩ報告が、前記１つ又は複数の衝突グループと衝突せず、且つ、前記第３ＣＳＩ報告が前記目標ＰＵＣＣＨリソースと衝突するステップをさらに含む、請求項７に記載の伝送方法。
【請求項１１】
第３ＣＳＩ報告を破棄すると決定するステップは、前記１つ又は複数の衝突グループにおける少なくとも１つのＣＳＩ報告の優先度が前記第３ＣＳＩ報告以上である場合、第３ＣＳＩ報告を破棄すると決定するステップを含む、請求項１０に記載の伝送方法。
【請求項１２】
コンポーネントキャリアのＰＵＣＣＨリソースで送信される必要がある１つ又は複数の衝突グループに基づいて、目標ＰＵＣＣＨリソースを決定するステップは、
前記１つ又は複数の衝突グループに基づいて、候補ＰＵＣＣＨリソースを決定するステップと、
前記１つ又は複数の衝突グループのＣＳＩ報告の負荷と第２ＣＳＩ報告の負荷の合計が、前記候補ＰＵＣＣＨリソースが目標符号化率を満たすうえで伝送可能な容量以下である場合、又は、前記候補ＰＵＣＣＨリソースが前記コンポーネントキャリアの最大容量の候補ＰＵＣＣＨリソースである場合、前記候補ＰＵＣＣＨリソースを前記目標ＰＵＣＣＨリソースとして決定し、又は、
前記１つ又は複数の衝突グループのＣＳＩ報告の負荷と第２ＣＳＩ報告の負荷の合計が、前記候補ＰＵＣＣＨリソースが目標符号化率を満たすうえで伝送可能な容量より大きい、且つ、前記候補ＰＵＣＣＨリソースが前記コンポーネントキャリアの最大容量の候補ＰＵＣＣＨリソースではない場合、前記１つ又は複数の衝突グループと前記第２ＣＳＩ報告に基づいて、前記目標ＰＵＣＣＨリソースを決定するステップを含み、
前記ネットワーク機器は、前記一つ又は複数の衝突グループのＣＳＩ報告の負荷及び前記第２ＣＳＩ報告の負荷を決定することができる、請求項９に記載の伝送方法。
【請求項１３】
コンポーネントキャリアの物理上り制御チャネルＰＵＣＣＨリソースで送信される必要がある１つ又は複数の衝突グループに基づいて、目標ＰＵＣＣＨリソースを決定する決定モジュールであって、前記目標ＰＵＣＣＨリソースが、前記１つ又は複数の衝突グループにおけるＣＳＩ報告を配置するために用いられ、前記衝突グループは少なくとも２つのＣＳＩ報告を含み、前記衝突グループの任意の１つのＣＳＩ報告が、前記衝突グループにおける少なくとも１つのＣＳＩ報告と衝突し、且つ、前記衝突グループ以外の任意の１つのＣＳＩ報告と衝突しない決定モジュールと、
前記目標ＰＵＣＣＨリソースに配置されようとするＣＳＩ報告セットの負荷は、前記目標ＰＵＣＣＨリソースが目標符号化率を満たすうえで伝送可能な容量より大きい場合、ＣＳＩ報告の優先度に基づいて、前記ＣＳＩ報告セットのうちの一部のＣＳＩ報告を前記目標ＰＵＣＣＨリソースに配置し、又は、前記ＣＳＩ報告セットの負荷は、前記目標ＰＵＣＣＨリソースが目標符号化率を満たすうえで伝送可能な容量以下である場合、前記ＣＳＩ報告セットのうちの全部のＣＳＩ報告を前記目標ＰＵＣＣＨリソースに配置する配置モジュールと、
配置されたＣＳＩ報告を前記目標ＰＵＣＣＨリソースにおいて送信する送信モジュールと、を含み、
前記ＣＳＩ報告セットは、前記１つ又は複数の衝突グループのＣＳＩ報告を少なくとも含む、端末機器。
【請求項１４】
前記ＣＳＩ報告セットは、第２ＣＳＩ報告をさらに含み、前記第２ＣＳＩ報告は前記コンポーネントキャリアの１つのＰＵＣＣＨリソースに配置され、前記第２ＣＳＩ報告は、前記１つ又は複数の衝突グループと衝突しない、請求項１３に記載の端末機器。
【請求項１５】
コンポーネントキャリアの物理上り制御チャネルＰＵＣＣＨリソースで送信される必要がある１つ又は複数の衝突グループに基づいて、１つ又は複数の目標ＰＵＣＣＨリソースを決定する決定モジュールであって、前記１つ又は複数の目標ＰＵＣＣＨリソースが、前記１つ又は複数の衝突グループにおけるＣＳＩ報告を配置するために用いられ、前記衝突グループは少なくとも２つのＣＳＩ報告を含み、任意の１つのＣＳＩ報告が、前記衝突グループにおける他の少なくとも１つのＣＳＩ報告と衝突し、且つ、前記衝突グループ以外の任意の１つのＣＳＩ報告と衝突しない決定モジュールと、
前記決定された１つ又は複数の目標ＰＵＣＣＨリソースでＣＳＩ報告を受信する受信モジュールと、を含む、ネットワーク機器。
【国際調査報告】
2021517783.tif 000023
2021517783.tif 000024
2021517783.tif 000025
2021517783.tif 000026